(57)【特許請求の範囲】
【請求項１】
外部のコンテンツ利用装置が利用するコンテンツの利用に係る利用情報を転送する情報端末であって、
コンテンツの利用権と前記コンテンツの利用金額を示す料金情報とを含む利用情報、および、前記コンテンツの提供者を示す識別子を、外部のサーバ装置から受信する受信手段と、
前記料金情報および前記識別子を含む決済依頼情報を生成する生成手段と、
生成した前記決済依頼情報を、当該情報端末に対し通信サービスを提供している通信事業者が有する決済装置へ送信する送信手段と、
当該情報端末から前記利用情報を受け取ることが許可されている装置の識別情報を記憶している記憶手段と、
前記記憶手段に記憶されている前記識別情報と、前記利用情報の要求元であるコンテンツ利用装置の識別情報とを比較することにより、前記利用情報を要求元であるコンテンツ利用装置へ転送可能か否かを判断する判断手段と、
転送可能であると判断する場合に、前記コンテンツ利用装置へ、前記利用情報を転送する転送手段と
を備えることを特徴とする情報端末。
【請求項２】
前記情報端末は、更に、
外部からの解読及び改竄に対する耐タンパー性を有し、内部に電子マネー情報を記憶している電子マネー記憶手段と、
前記決済装置において代行決済不可と判断された場合に、前記決済装置からその旨を示す代行決済不可通知を受け付ける不可通知受信手段と、
前記不可通知受信手段が前記不可通知を受け付けた場合、前記電子マネー記憶手段に記憶されている前記電子マネー情報を用いて、前記利用情報の決済を行う電子マネー決済手段とを備える
ことを特徴とする請求項１に記載の情報端末。
【請求項３】
前記受信手段は、さらに、前記決済装置から代行決済が不可能なコンテンツ提供者を特定する識別子を受信して、前記記憶手段に格納し、
前記情報端末は、さらに、
前記サーバ装置から受信した識別子が、前記記憶手段に格納された識別子に一致するか否か判定する判定手段を備え、
前記送信手段は、前記判定手段により一致しないと判定された場合、生成した前記決済依頼情報を、前記決済装置へ送信する
ことを特徴とする請求項１に記載の情報端末。
【請求項４】
前記情報端末は、さらに、
外部からの解読及び改竄に対する耐タンパー性を有し、内部に電子マネー情報を記憶している電子マネー記憶手段と、
前記判定手段により一致すると判定された場合、前記電子マネー記憶手段に記憶されている前記電子マネー情報を用いて、前記利用情報の決済を行う電子マネー決済手段とを備える
ことを特徴とする請求項３に記載の情報端末。
【請求項５】
コンテンツの利用に係る利用情報を、情報端末へ送信するサーバ装置と、
コンテンツの利用権と前記コンテンツの利用金額を示す料金情報とを含む利用情報、および、前記コンテンツの提供者を示す識別子を、前記サーバ装置から受信する受信手段と、
前記料金情報および前記識別子を含む決済依頼情報を生成する生成手段と、
生成した前記決済依頼情報を、当該情報端末に対し通信サービスを提供している通信事業者が有する決済装置へ送信する送信手段と、
当該情報端末から前記利用情報を受け取ることが許可されている装置の識別情報を記憶している記憶手段と、
前記記憶手段に記憶されている前記識別情報と、前記利用情報の要求元であるコンテンツ利用装置の識別情報とを比較することにより、前記利用情報を要求元であるコンテンツ利用装置へ転送可能か否かを判断する判断手段と、
転送可能であると判断する場合に、前記コンテンツ利用装置へ、前記利用情報を転送する転送手段とを備える情報端末と、
前記コンテンツを取得するコンテンツ取得手段と、
前記情報端末から、前記利用情報を受信する受信手段と、
前記利用情報に基づき前記コンテンツを利用する利用手段とを備える利用装置と、
前記情報端末から前記決済依頼情報を受信する受信手段と、
受信した前記決済依頼情報に係る代行決済が認められる場合、前記コンテンツを配信しているコンテンツ配信業者に対して前記利用情報の代金を代行決済する代行決済手段と、
代行決済を行なった場合には、前記情報端末に対して通信サービスの利用料金と前記利用情報の代金とを合わせて決済する決済手段とを備える決済装置と
から構成されることを特徴とするコンテンツ利用システム。
【請求項６】
前記コンテンツ利用システムは、さらに、
代行決済が可能であるコンテンツ配信業者を識別する１以上の識別情報を格納しており、前記決済装置から依頼を受けると、代行決済の可否を判断して、判断結果を、前記決済装置に返送する登録サーバを含み、
前記情報端末の送信手段は、前記コンテンツを配信している前記コンテンツ配信業者を識別する識別情報を、前記決済依頼情報に含めて送信し、
前記決済装置の代行決済手段は、前記決済依頼情報に含まれる前記識別情報を前記登録サーバに送信し、前記決済依頼情報に係る代行決済の可否判断を依頼する
ことを特徴とする請求項５に記載のコンテンツ利用システム。
【請求項７】
前記情報端末の受信手段は、前記利用情報を利用することが可能な利用装置の識別情報である許可識別情報を含む前記利用情報を受信し、
前記情報端末の出力手段は、前記受信手段が受信した前記利用情報に含まれる許可識別情報を含む利用情報送信要求を、前記利用装置へ出力し、
前記利用装置の受信手段は、前記情報端末から前記利用情報送信要求を受け取ると、前記利用情報送信要求に含まれる許可識別情報と自装置の識別情報とが一致するか確認し、一致しない場合には、前記利用情報の受信を拒否する
ことを特徴とする請求項５に記載のコンテンツ利用システム。
【請求項８】
前記利用装置の受信手段は、前記利用情報と共に前記情報端末の識別子を受信し、受信した前記利用情報と前記識別子とを対応付けて記憶領域に記憶し、
前記利用装置の利用手段は、前記コンテンツを利用するとき、前記情報端末から再度識別子を受信し、前記記憶領域に記憶されている識別子と受信した識別子とが一致するか否か判断し、一致する場合のみ、前記コンテンツを利用する
ことを特徴とする請求項５に記載のコンテンツ利用システム。
【請求項９】
前記利用装置は、さらに、
当該利用装置が、利用情報を受信可能な通信相手である情報端末を識別する識別情報を予め記憶している第１の有効機器情報記憶手段を備え、
前記情報端末は、さらに、
当該情報端末が、利用情報を送信可能な通信相手である利用装置を識別する識別情報を予め記憶している第２の有効機器情報記憶手段を備え、
前記情報端末の出力手段は、自装置の識別情報を含む利用情報送信要求を、前記利用装置へ出力し、
前記利用装置の受信手段は、前記情報端末から前記利用情報送信要求を受信すると、前記利用情報送信要求に含まれる識別情報に一致する識別情報が、前記第１の有効機器情報記憶手段に記憶されているか否かを判断し、記憶されている場合にのみ、前記情報端末へ、自装置の識別情報を含む利用情報受信要求を送信し、
前記情報端末の出力手段は、前記利用装置から前記利用情報受信要求を受信すると、前記利用情報受信要求に含まれる識別情報に一致する識別情報が、前記第２の有効機器情報記憶手段に記憶されているか否かを判断し、記憶されている場合にのみ、前記利用情報を前記利用装置へ送信する
ことを特徴とする請求項５に記載のコンテンツ利用システム。
【請求項１０】
外部のコンテンツ利用装置が利用するコンテンツの利用に係る利用情報を転送する情報端末で用いる制御方法であって、
前記情報端末は、当該情報端末から前記利用情報を受け取ることが許可されている装置の識別情報を記憶している記憶手段を備え、
前記制御方法は、
コンテンツの利用権と前記コンテンツの利用金額を示す料金情報とを含む利用情報、および、前記コンテンツの提供者を示す識別子を、外部のサーバ装置から受信する受信ステップと、
前記料金情報および前記識別子を含む決済依頼情報を生成する生成ステップと、
生成した前記決済依頼情報を、当該情報端末に対し通信サービスを提供している通信事業者が有する決済装置へ送信する送信ステップと、
前記記憶手段に記憶されている前記識別情報と、前記利用情報の要求元であるコンテンツ利用装置の識別情報とを比較することにより、前記利用情報を要求元であるコンテンツ利用装置へ転送可能か否かを判断する判断ステップと、
転送可能であると判断する場合に、前記コンテンツ利用装置へ、前記利用情報を転送する転送ステップと
を含むことを特徴とする制御方法。
【請求項１１】
外部のコンテンツ利用装置が利用するコンテンツの利用に係る利用情報を転送する情報端末で用いるコンピュータプログラムであって、
前記情報端末は、当該情報端末から前記利用情報を受け取ることが許可されている装置の識別情報を記憶している記憶手段を備え、
前記コンピュータプログラムは、
コンテンツの利用権と前記コンテンツの利用金額を示す料金情報とを含む利用情報、および、前記コンテンツの提供者を示す識別子を、外部のサーバ装置から受信する受信ステップと、
前記料金情報および前記識別子を含む決済依頼情報を生成する生成ステップと、
生成した前記決済依頼情報を、当該情報端末に対し通信サービスを提供している通信事業者が有する決済装置へ送信する送信ステップと、
前記記憶手段に記憶されている前記識別情報と、前記利用情報の要求元であるコンテンツ利用装置の識別情報とを比較することにより、前記利用情報を要求元であるコンテンツ利用装置へ転送可能か否かを判断する判断ステップと、
転送可能であると判断する場合に、前記コンテンツ利用装置へ、前記利用情報を転送する転送ステップと
を前記情報端末に実行させることを特徴とするコンピュータプログラム。
【発明の詳細な説明】
【技術分野】
【０００１】
本発明は、商品を購入するシステムに関し、特に、携帯情報端末を用いて商品を購入する技術に関する。
【背景技術】
【０００２】
ブロードバンドネットワークの普及に伴い、ディジタルコンテンツを配信するサービスが今後益々普及していくことが予想される。現在、ユーザに提供されたコンテンツの決済は、主にクレジット決済によって行われている。クレジット決済は、コンテンツ配信業者のサービスに加入する際に、ユーザがコンテンツ配信業者にクレジットカード番号を通知する必要があるため、セキュリティ上の懸念を抱くユーザも少なくない。
【０００３】
また、特許文献１には、携帯情報端末を用いて商品を購入する際の決済方法が開示されている。これは、商品購入の際に、携帯情報端末が商品を提供するサービス提供装置にユーザＩＤなどを送信し、サービス提供装置が前記ユーザＩＤを含む商品の決済要求を通信事業者の装置へ送信する。その後、通信事業者とサービス提供業者との間で商品の代行決済が行われる。更に、その後、通信事業者とユーザとの間で商品の決済が行われる。
【特許文献１】特開２００１‐１３４６８４号公報
【特許文献２】特開２００２‐２９８０４１号公報
【発明の開示】
【発明が解決しようとする課題】
【０００４】
現在、コンテンツの決済方法として、上記の様な方法が実施、或いは提案されているが、コンテンツを配信するサービスが、更にユーザに受け入れられて普及する為には、コンテンツの決済をどのように行うのかが一つの重要な問題となる。
そこで本発明は、ユーザに多様な決済方法を提供するべく、多様なコンテンツ利用システムを提供することを目的とする。
【課題を解決するための手段】
【０００５】
上記の目的を達成するために、本発明は、コンテンツ利用システムであって、コンテンツの利用に係る利用情報を、情報端末へ送信するサーバ装置と、前記サーバ装置から、前記利用情報を購入する購入手段と、購入した前記利用情報を、前記コンテンツを利用する利用装置へ出力する出力手段とを備える情報端末と、前記コンテンツを取得するコンテンツ取得手段と、前記情報端末から、前記利用情報を受信する受信手段と、前記利用情報に基づき前記コンテンツを利用する利用手段とを備える利用装置とから構成されることを特徴とする。
【０００６】
また、上記の目的を達成するために、本発明は、コンテンツの利用に係る利用情報を転送する情報端末であって、前記利用情報を外部のサーバ装置から購入する購入手段と、購入した前記利用情報を、前記コンテンツを利用する利用装置へ出力する出力手段とを備えることを特徴とする。
ここで、前記購入手段は、前記サーバ装置から前記利用情報を受信する利用情報受信部と、前記利用情報の代行決済を依頼することを示す決済依頼情報を、当該情報端末にサービスを提供している通信事業者が有する決済装置へ送信する代行決済依頼部とを備えることを特徴とする。
【０００７】
ここで、  前記出力手段は、前記利用情報の送信が許可された装置の識別情報を記憶している許可装置記憶部と、前記利用装置から、当該利用装置を識別する利用装置識別情報を受信する識別情報受信部と、受信した前記利用装置識別情報が、前記許可装置記憶部に記憶されているか否か判断する判断部と、前記判断部による判断の結果が肯定的である場合に、前記利用装置へ前記利用情報を出力する出力部とを備えることを特徴とする。
【発明の効果】
【０００８】
本発明は、コンテンツ利用システムであって、コンテンツの利用に係る利用情報を、情報端末へ送信するサーバ装置と、前記サーバ装置から、前記利用情報を購入する購入手段と、購入した前記利用情報を、前記コンテンツを利用する利用装置へ出力する出力手段とを備える情報端末と、前記コンテンツを取得するコンテンツ取得手段と、前記情報端末から、前記利用情報を受信する受信手段と、前記利用情報に基づき前記コンテンツを利用する利用手段とを備える利用装置とから構成されることを特徴とする。
【０００９】
この構成によると、コンテンツの配信経路と利用情報の配信経路とが異なる新たなコンテンツ利用システムを提供することができる。また、コンテンツの配信経路と利用情報の配信経路とが異なることにより、配信の途中でそれぞれのデータが盗聴された場合であっても、コンテンツが不正に利用される事態を防止することができる。
また、本発明は、コンテンツの利用に係る利用情報を転送する情報端末であって、前記利用情報を外部のサーバ装置から購入する購入手段と、購入した前記利用情報を、前記コンテンツを利用する利用装置へ出力する出力手段とを備えることを特徴とする。
【００１０】
この構成によると、携帯情報端末は、取得した利用情報を外部の利用装置へ転送することができる。携帯情報端末が転送するのは利用情報のみであり、コンテンツ自体を転送しないため、利用情報が盗聴された場合であっても、コンテンツが不正に利用される事態を防止することができる。
ここで、前記購入手段は、前記サーバ装置から前記利用情報を受信する利用情報受信部と、前記利用情報の代行決済を依頼することを示す決済依頼情報を、当該情報端末にサービスを提供している通信事業者が有する決済装置へ送信する代行決済依頼部とを備えるように構成してもよい。
【００１１】
また、前記購入手段は、前記決済装置において代行決済不可と判断された場合に、前記決済装置からその旨を示す代行決済不可通知を受け付ける不可通知受信部を備えるように構成してもよい。
これらの構成によると、携帯情報端末を用いて利用情報を購入したユーザに対し、決済装置に代行決済を依頼するという新たな決済方法を提供することができる。
【００１２】
ここで、前記情報端末は、更に、外部から解読及び改竄が不可能な耐タンパー性を有し、内部に電子マネー情報を記憶している記憶手段を備え、前記購入手段は、前記不可通知受信部が前記不可通知を受け付けた場合に、前記代行決済依頼部による処理に替えて、前記記憶手段に記憶されている前記電子マネー情報を用いて、前記利用情報の決済を行う電子マネー決済部を備えるように構成してもよい。
【００１３】
この構成によると、代行決済が不可能であった場合にも、ユーザは携帯情報端末に記憶されている電子マネー情報を用いて決済することができるため、クレジットカードを用いた決済等と比較して、個人データの流出を防止でき、また簡単な方法で決済することができるため、ユーザの利便性も高まる。
ここで、前記情報端末は、更に、外部から解読及び改竄が不可能な耐タンパー性を有し、内部に電子マネー情報を記憶している記憶手段を備え、前記購入手段は、前記記憶手段に記憶されている前記電子マネー情報を用いて、前記利用情報の決済を行うように構成してもよい。
【００１４】
この構成によると、ユーザは携帯情報端末に記憶されている電子マネー情報を用いて決済することができるため、クレジットカードを用いた決済等と比較して、個人データの流出を防止でき、また簡単な方法で決済することができるため、ユーザの利便性も高まる。
ここで、前記出力手段は、前記利用情報の送信が許可された装置の識別情報を記憶している許可装置記憶部と、前記利用装置から、当該利用装置を識別する利用装置識別情報を受信する識別情報受信部と、受信した前記利用装置識別情報が、前記許可装置記憶部に記憶されているか否か判断する判断部と、前記判断部による判断の結果が肯定的である場合に、前記利用装置へ前記利用情報を出力する出力部とを備えるように構成してもよい。
【００１５】
この構成によると、利用情報の送信を許可すると判断された適切な利用装置へ、利用情報を転送することができる。
ここで、前記出力手段は、更に、前記利用装置から、前記利用情報の送信を許可する旨を示す信号を受信する許可受信部を備え、前記出力部は、前記判断手段による判断の結果が肯定的であり、且つ、前記許可受信部が前記信号を受信した場合に、前記利用装置へ前記利用情報を出力するように構成してもよい。
【００１６】
この構成によると、携帯情報端末は、自機が利用情報の送信を許可する場合であっても、利用装置側から利用情報の送信が拒否された場合には、利用情報の転送を抑制することができる。これにより、利用装置側から見て不適切と思われる利用情報の転送をも防止することができる。
ここで、前記購入手段は、前記サーバ装置から前記利用情報を受信する利用情報受信部と、前記利用情報の代行決済を依頼することを示す決済依頼情報を、当該情報端末にサービスを提供している通信事業者が有する決済装置へ送信する代行決済依頼部とを備えるように構成してもよい。
【００１７】
この構成によると、携帯情報端末を用いて利用情報を購入したユーザに対し、決済装置に代行決済を依頼するという新たな決済方法を提供することができる。
ここで、前記情報端末は、更に、外部から解読及び改竄が不可能な耐タンパー性を有し、内部に電子マネー情報を記憶している記憶手段を備え、前記購入手段は、前記決済装置において代行決済不可と判断された場合に、前記決済装置からその旨を示す代行決済不可通知を受け付ける不可通知受信部と、前記不可通知受信部が前記不可通知を受け付けた場合に、前記代行決済依頼部による処理に替えて、前記記憶手段に記憶されている前記電子マネー情報を用いて、前記利用情報の決済を行う電子マネー決済部とを備えるように構成してもよい。
【００１８】
この構成によると、代行決済が不可能であった場合にも、ユーザは携帯情報端末に記憶されている電子マネー情報を用いて決済することができるため、クレジットカードを用いた決済等と比較して、個人データの流出を防止でき、また簡単な方法で決済することができるため、ユーザの利便性も高まる。
ここで、前記利用情報は、当該利用情報の送付が許可される装置の識別情報を含み、前記出力手段は、前記利用装置から、当該利用装置を識別す利用装置識別情報を受信する識別情報受信部と、受信した前記利用装置識別情報が、前記利用情報に含まれる識別情報と一致するか否か判断する判断部と、前記判断部による判断が肯定的である場合に、前記利用装置へ前記利用情報を出力する出力部とを備えるように構成してもよい。
【００１９】
この構成によると、利用情報の送付が許可されていない装置が、許可された正当な利用装置を経由することにより、不正に利用情報を取得するのを防止することができる。
【発明を実施するための最良の形態】
【００２０】
(第１実施例）
本発明に係る第１実施例として、決済システム１について図面を参照して説明する。
図１は、決済システム１の構成を示すシステム構成図である。同図に示す様に、決済システム１は、コンテンツ配信サーバ１０、ライセンスチケット配信サーバ２０、携帯電話料金管理サーバ３０、携帯電話機４０及びホームサーバ５０から構成される。
【００２１】
コンテンツ配信サーバ１０、ライセンスチケット配信サーバ２０、携帯電話料金管理サーバ３０及びホームサーバ５０は、それぞれ、ネットワーク６０に接続しており、携帯電話機４０は、図示していないゲートウェイサーバを介してネットワーク６０に接続可能であるとする。ゲートウェイサーバは、携帯電話機４０から送信された情報をネットワーク６０のプロトコルに変換し、ネットワーク６０を介して、前記情報を受信先の装置へ送信するためのサーバである。ここで、ネットワーク６０の具体例はインターネットである。
【００２２】
＜構成＞
ここでは、決済システム１を構成する各装置について説明する。
１．コンテンツ配信サーバ１０
コンテンツ配信サーバ１０は、映画などのコンテンツがＭＰＥＧ‐２規格に従い符号化されたディジタルコンテンツ（以下では単位に「コンテンツ」と呼称する）を、ユーザに有料で提供するコンテンツ配信業者が有する装置であり、具体的には、マイクロプロセッサ、ＲＯＭ、ＲＡＭ、ハードディスクユニット、ネットワーク接続ユニットなどを備えるコンピュータシステムである。なお、コンテンツ配信サーバ１０の構成は図示していない。
【００２３】
コンテンツ配信サーバ１０は、複数の暗号化コンテンツを、コンテンツＩＤと対応付けて記憶している。各暗号化コンテンツは、コンテンツをコンテンツ鍵で暗号化して生成したものであり、コンテンツ鍵は各コンテンツに固有の鍵情報である。また、コンテンツＩＤは、各コンテンツと１対１に対応しており、各コンテンツを一意に識別するための情報である。
【００２４】
コンテンツ配信サーバ１０は、各暗号化コンテンツの生成に用いたコンテンツ鍵を、コンテンツＩＤと対応付けて、ライセンスチケット配信サーバ２０へ通知する。コンテンツ鍵の通知方法は、安全かつ確実に通知する方法であれば限定されない。
コンテンツ配信サーバ１０は、ユーザが有するホームサーバ５０から、ネットワーク６０を介して、コンテンツＩＤを含むコンテンツ要求を受け取る。コンテンツ配信サーバ１０は、受け取ったコンテンツ要求に含まれるコンテンツＩＤにより識別される暗号化コンテンツを読み出し、読み出した暗号化コンテンツを、ネットワーク６０を介してホームサーバ５０へ送信する。具体的には、コンテンツ配信サーバ１０は、ホームサーバ５０から「ＩＤ＿０００１」を含むコンテンツ要求を受信し、「ＩＤ＿０００１」により識別される暗号化コンテンツを読み出し、暗号化コンテンツをホームサーバ５０へ送信する。
【００２５】
２．ライセンスチケット配信サーバ２０
ライセンスチケット配信サーバ２０は、ライセンスチケットを生成し、配信する装置であり、ここでは一例として、コンテンツ配信サーバ１０とライセンスチケット配信サーバ２０は、同一の業者が有する装置であるとする。ここで、ライセンスチケットは、ユーザが有するホームサーバ５０がコンテンツ配信サーバ１０から取得した暗号化コンテンツを復号するために必要なコンテンツ鍵を含む情報である。
【００２６】
図２は、ライセンスチケット配信サーバ２０の構成を機能的に示す機能ブロック図である。同図に示す様に、ライセンスチケット配信サーバ２０は、コンテンツ鍵入力部２０１、コンテンツ情報入力部２０２、制御部２０３、ライセンスチケット記憶部２０４、未決済情報記憶部２０５、決済情報記憶部２０６及び送受信部２０７から構成される。ライセンスチケット配信サーバ２０は、具体的には、マイクロプロセッサ、ＲＯＭ、ＲＡＭなどを備えるコンピュータシステムである。
【００２７】
（１）コンテンツ鍵入力部２０１
コンテンツ鍵入力部２０１は、コンテンツ配信サーバ１０から、安全かつ確実にコンテンツＩＤとコンテンツ鍵との入力を受け付ける。ここでは、具体例としてコンテンツ鍵入力部２０１は、ＣＤ‐ＲＯＭやフレキシブルディスク等のメディアに格納されたコンテンツＩＤとコンテンツ鍵とを読み出すドライブであるとする。なお、コンテンツ鍵入力部２０１は、必ずしもメディアから情報を読み出すドライブに限定されず、コンテンツＩＤとコンテンツ鍵とを人の手により入力するキーボードやマウスなどであってもよい。また、コンテンツ鍵入力部２０１は、ネットワーク上のセキュアな通信路を介して、コンテンツ配信サーバ１０からコンテンツＩＤとコンテンツ鍵とを受信するネットワーク接続ユニットであってもよい。
【００２８】
コンテンツ鍵入力部２０１は、コンテンツＩＤとコンテンツ鍵とが格納されたメディアを受け付け、メディアからコンテンツＩＤとコンテンツ鍵とを読み出す。コンテンツ鍵入力部２０１は、読み出したコンテンツＩＤとコンテンツ鍵とを制御部２０３へ出力する。なお、前記メディアには、コンテンツＩＤ「ＩＤ＿０００１」と、それに対応付けられたコンテンツ鍵「ｈｃ４２６Ｄ９９ｒｏ７ｖ」とが含まれている。
【００２９】
（２）コンテンツ情報入力部２０２
コンテンツ情報入力部２０２は、キーボード、マウスなどから構成され、キーボード、マウスなどが操作されることにより、コンテンツ情報の入力を受け付ける。ここで、コンテンツ情報は、著作権情報と料金とから成り、著作権情報は、コンテンツの再生可能回数を示す情報であり、料金は、ライセンスチケットの提供を受けるユーザに対価として求める金額を示す情報であり、以下では「料金」を「コンテンツ料金」と呼称することもある。なお、著作権情報は、コンテンツの再生可能回数に限定されず、例えば、コピーの可否、コピー可能回数等のコピー制御情報であってもよいし、コンテンツの再生可能時間を示す情報であってもよい。
【００３０】
コンテンツ情報入力部２０２は、コンテンツＩＤに対応付けてコンテンツ情報の入力を受け付け、コンテンツＩＤとコンテンツ情報とを合わせて制御部２０３へ出力する。具体的に、コンテンツ情報入力部２０２は、コンテンツＩＤ「ＩＤ＿０００１」に対応付けて、コンテンツ情報「著作権情報：３回」と「料金：１０００円」との入力を受け付け、「ＩＤ＿０００１、３回、１０００円」を制御部２０３へ出力する。
【００３１】
（３）制御部２０３
制御部２０３は、マイクロプロセッサと制御プログラムとから成り、マイクロプロセッサが前記プログラムを実行することにより、以下に示す処理を行う。
（ａ）制御部２０３は、コンテンツ鍵入力部２０１からコンテンツＩＤとコンテンツ鍵とを受け取り、コンテンツ情報入力部２０２からコンテンツＩＤとコンテンツ情報とを受け取る。制御部２０３は、一致するコンテンツＩＤを有するコンテンツ鍵とコンテンツ情報とを対応付け、更に、チケット番号を付加してライセンスチケットを生成する。制御部２０３は、生成したライセンスチケットをライセンスチケット記憶部２０４へ出力する。
【００３２】
ここで、制御部２０３が生成するライセンスチケットの一例は、図４に示すライセンスチケット２３１である。ライセンスチケット２３１は、チケット番号「ＮＯ＿１」、コンテンツＩＤ「ＩＤ＿０００１」、コンテンツ鍵「ｈｃ４２６Ｄ９９ｒｏ７ｖ」、著作権情報「３回」及び料金「１０００円」から構成される。
なお、コンテンツＩＤはコンテンツを一意に識別するための情報であるのに対して、チケット番号は、ライセンスチケットを一意に識別するための情報である。例えば、同一のコンテンツＩＤにより識別される同一のコンテンツであっても、著作権情報と料金とが異なる場合は、異なるライセンスチケットが生成され、異なるチケット番号が付される。
【００３３】
（ｂ）制御部２０３は、ユーザが有する携帯電話機４０から、ネットワーク６０及び送受信部２０７を介して、チケット番号を含むチケット要求を受け取る。制御部２０３は、チケット要求からチケット番号を読み出し、読み出したチケット番号により識別されるライセンスチケットを、ライセンスチケット記憶部２０４から読み出す。制御部２０３は、読み出したライセンスチケットを送受信部２０７及びネットワーク６０を介して携帯電話機４０へ送信する。
【００３４】
具体的に、制御部２０３は、携帯電話機４０からチケット番号「ＮＯ＿１」を含むチケット要求を受け取ると、ライセンスチケット記憶部２０４から、「ＮＯ＿１」のチケット番号を含むライセンスチケット２３１を読み出し、読み出したライセンスチケット２３１を携帯電話機４０へ送信する。
（ｃ）制御部２０３は、携帯電話機４０へライセンスチケットを送信すると、未決済情報を生成し、生成した未決済情報を未決済情報記憶部２０５へ出力する。
【００３５】
具体的に、制御部２０３は、ライセンスチケット２３１を携帯電話機４０へ送信すると、図３（ａ）に示す未決済情報２１０を生成する。未決済情報２１０は、ライセンスチケット送信日「２００４．２．１１」、チケット番号「ＮＯ＿１」及び送信先アドレス「ｍａｔｕｓｈｉｔａ＠ｘｘ．ｘｘｘ」から構成される。これは、２００４年２月１１日にチケット番号ＮＯ＿１に対応するライセンスチケットが、ライセンスチケット配信サーバ２０から、ｍａｔｕｓｈｉｔａ＠ｘｘ．ｘｘｘのメールアドレスへ送信され、且つ、決済が終了していないことを示す。
【００３６】
（ｄ）携帯電話料金管理サーバ３０により、料金の決済が行われると、制御部２０３は、ネットワーク６０及び送受信部２０７を介して、決済が終了したライセンスチケットのライセンスチケット送信日、チケット番号及び送信先アドレスを含む決済終了通知を受け取る。本実施例では、コンテンツ料金の決済は、銀行を介して行われるものとし、制御部２０３は、銀行の端末から送信される前記決済終了通知を受け取る。なお、図１のシステム構成図では、銀行の端末は図示していない。
【００３７】
制御部２０３は、決済終了通知を受け取ると、決済終了通知に含まれるライセンスチケット送信日、チケット番号及び送信先アドレスと同一のライセンスチケット送信日、チケット番号及び送信先アドレスから構成される未決済情報を、未決済情報記憶部２０５から読み出す。制御部２０３は、読み出した未決済情報に決済終了日を付加して決済情報を生成し、生成した決済情報を決済情報記憶部２０６へ出力する。決済終了日は、決済終了通知に含まれる情報であってもよいし、制御部２０３が管理している日時から生成する情報であってもよい。制御部２０３は、生成した決済情報を決済情報記憶部２０６へ出力すると、対応する未決済情報を未決済情報記憶部２０５から破棄する。
【００３８】
具体的に、制御部２０３は、銀行の端末から、ライセンスチケット送信日「２００４．２．１１」、チケット番号「ＮＯ＿１」及び送信先アドレス「ｍａｔｓｕｓｈｉｔａ＠ｘｘ．ｘｘｘ」を含む決済終了通知を受信すると、これらの情報を含む未決済情報２１０を、未決済情報記憶部２０５から読み出す。制御部２０３は、未決済情報２１０に、決済終了日として「２００４．２．１８」を付加して、図３（ｂ）に示す決済情報２２０を生成して、生成した決済情報２２０を決済情報記憶部２０６へ出力する。制御部２０３は、未決済情報２１０を未決済情報記憶部２０５から破棄する。
【００３９】
（４）ライセンスチケット記憶部２０４
ライセンスチケット記憶部２０４は、外部から読み出し不可能な記憶領域に、ライセンスチケットテーブル２３０を格納している。図４は、ライセンスチケットテーブル２３０のデータ構成を示す図である。ライセンスチケットテーブル２３０は、制御部２０３から出力された複数のライセンスチケットを含む。各ライセンスチケットは、前述の通り、チケット番号、コンテンツＩＤ、コンテンツ鍵、著作権情報及び料金から構成される。ライセンスチケット記憶部２０４は、制御部２０３からライセンスチケットが出力される都度、出力されたライセンスチケットをライセンスチケットテーブル２３０に追加して書き込む。
【００４０】
また、ライセンスチケット記憶部２０４は、制御部２０３から参照が可能であり、制御部２０３により記憶されているライセンスチケットが読み出される。
（５）未決済情報記憶部２０５
未決済情報記憶部２０５は、外部から読み出し不可能な記憶領域であって、制御部２０３から未決済情報２１０が出力されると、未決済情報２１０を内部に格納する。未決済情報２１０は、当該情報により示されるライセンスチケットの決済が終了していないことを示しており、決済が終了すると、当該情報は制御部２０３により読み出されて、その後破棄される。
【００４１】
（６）決済情報記憶部２０６
決済情報記憶部２０６は、外部から読み出し不可能な記憶領域であって、制御部２０３から決済情報２２０が出力されると、決済情報２２０を内部に格納する。
（７）送受信部２０７
送受信部２０７は、ネットワーク６０に接続しており、図示していないゲートウェイサーバを介して携帯電話機４０と情報の送受信を行う。具体的には、送受信部２０７は、携帯電話機４０からチケット要求を受信し、受信したチケット要求を制御部２０３へ出力する。また、送受信部２０７は、前記チケット要求に対応するライセンスチケットを制御部２０３から受け取り、受け取ったライセンスチケットを携帯電話機４０へ送信する。
【００４２】
また、送受信部２０７は、図示していない銀行の端末からネットワーク６０を介して決済終了通知を受信し、受信した決済終了通知を制御部２０３へ出力する。
３．携帯電話料金管理サーバ３０
携帯電話料金管理サーバ３０は、携帯電話機４０を所有するユーザが契約しており、携帯電話機４０にサービスを提供する通信事業者が有する装置である。携帯電話料金管理サーバ３０は、ライセンスチケット配信サーバ２０から携帯電話機４０に提供されたライセンスチケットに係るコンテンツ料金を、ユーザに代わってコンテンツ配信業者に支払い、ユーザに対しては、一ヶ月に一度、通話料金などのサービス料金と合わせて、代行決済した前記コンテンツ料金を課金する装置である。
【００４３】
図５は、携帯電話料金管理サーバ３０の構成を機能的に示す機能ブロック図である。同図に示すように、携帯電話料金管理サーバ３０は、送受信部３０１、コンテンツ料金決済部３０２、制御部３０３、携帯電話利用料金管理部３０４、コンテンツ利用料金管理部３０５、サービス料金決済部３０６から構成される。携帯電話料金管理サーバ３０は、具体的には、マイクロプロセッサ、ＲＯＭ、ＲＡＭなどを備えるコンピュータシステムである。
【００４４】
（１）送受信部３０１
送受信部３０１は、ネットワーク６０に接続しており、図示していないゲートウェイサーバを介して携帯電話機４０からライセンスチケット受取票を受信する。ライセンスチケット受取票は、携帯電話機４０がライセンスチケット配信サーバ２０からライセンスチケットを受信したこと、及び、受信したライセンスチケットに係るコンテンツ料金の代行決済を通信事業者に依頼することを示す情報である。
【００４５】
具体的に、送受信部３０１は携帯電話機４０から図８に示すライセンスチケット受取票２５０を受信する。ライセンスチケット受取票２５０は、携帯電話機４０が受信したライセンスチケットのチケット番号「ＮＯ＿１」、当該ライセンスチケットに係るコンテンツ料金「１０００円」、携帯電話機４０を特定するためのメールアドレス「ｍａｔｓｕｓｈｉｔａ＠ｘｘ．ｘｘｘ」、及び、携帯電話機４０がライセンスチケットを受信した日付「２００４．２．１１」から構成される。
【００４６】
送受信部３０１は、受信したライセンスチケット受取票を、コンテンツ料金決済部３０２及び制御部３０３へ出力する。
また、送受信部３０１は、ゲートウェイサーバから携帯電話機４０の通話に係る通話時間、及び、携帯電話機４０のパケット通信に係る送信パケット数と受信パケット数とを受信する。送受信部３０１は、受信した通話時間、受信パケット数、送信パケット数を制御部３０３へ出力する。なお、送受信部３０１は、通話の都度、通話時間を受信し、パケット通信の都度、送信パケット数と受信パケット数とを受信するものとする。
【００４７】
更に、送受信部３０１は、コンテンツ料金決済部３０２から出力される決済要求を、ネットワーク６０を介して銀行の端末へ送信する。なお、銀行の端末は、決済要求に従い決済を行い、ライセンスチケット配信サーバ２０へ決済終了通知を送信する。
（２）コンテンツ料金決済部３０２
コンテンツ料金決済部３０２は、送受信部３０１からライセンスチケット受取票２５０を受け取とると、決済要求を生成する。
【００４８】
決済要求は、振込先口座番号、振込元口座番号、振込金額、ライセンスチケット受信日、メールアドレス、チケット番号とを含む。ここで、振込先口座番号は、コンテンツ配信業者の口座番号であり、振込元口座番号は、通信事業者の口座番号である。振込金額は、ライセンスチケット受取票２５０に含まれるコンテンツ料金「１０００円」であり、ライセンスチケット受信日は、ライセンスチケット受取票２５０に含まれる日付「２００４．２．１１」であり、メールアドレスは、携帯電話機４０のメールアドレス「ｍａｔｓｕｓｈｉｔａ＠ｘｘ．ｘｘｘ」である。
【００４９】
コンテンツ料金決済部３０２は、生成した決済要求を、送受信部３０１及びネットワーク６０を介して銀行の端末に送信する。
（３）制御部３０３
制御部３０３は、マイクロプロセッサと制御用プログラムとから成り、マイクロプロセッサが前記プログラムを実行することにより、以下の処理を行う。
【００５０】
（ａ）制御部３０３は、送受信部３０１から携帯電話機４０の通話に係る通話時間を受け取ると、通話料金を算出し、算出した通話料金を携帯電話機４０の電話番号に対応付けて、携帯電話利用料金管理部３０４へ出力する。また、制御部３０３は、送受信部３０１から携帯電話機４０のパケット通信に係る送信パケット数、受信パケット数を受け取ると、パケット通信料金を算出し、算出したパケット通信料金を携帯電話機４０の電話番号に対応付けて、携帯電話利用料金管理部３０４へ出力する。
【００５１】
なお、制御部３０３は、携帯電話機４０の電話番号「０９０‐△△△△‐××××」とメールアドレス「ｍａｔｓｕｓｈｉｔａ＠ｘｘ．ｘｘｘ」とを対応付けて内部に記憶しているものとする。
（ｂ）制御部３０３は、送受信部３０１からライセンスチケット受取票２５０を受け取り、受け取ったライセンスチケット受取票２５０に含まれるコンテンツ料金「１０００円」と日付「２００４．２．１１」とを抽出する。また、制御部３０３は、ライセンスチケット受取票２５０に含まれるメールアドレス「ｍａｔｓｕｓｈｉｔａ＠ｘｘ．ｘｘｘ」に対応する電話番号「０９０‐△△△△‐××××」を読み出す。抽出したコンテンツ料金と日付とを、読み出した電話番号に対応付け、「０９０‐△△△△‐××××、１０００円、２００４．２．１１」を、コンテンツ利用料金管理部３０５へ出力する。
【００５２】
（ｃ）制御部３０３は、携帯電話利用料金管理部３０４が管理している携帯電話機４０の通話料金を合計して一ヶ月の通話料金を算出する。また、制御部３０３は、携帯電話利用料金管理部３０４が管理している携帯電話機４０のパケット通信料金を合計して、一ヶ月のパケット通信料金を算出する。更に、制御部３０３は、算出した一ヶ月の通話料金と一ヶ月のパケット通信料金とに、携帯電話機４０が契約している基本料金と付加サービスの月額利用料金とを足し合わせ、携帯電話機４０の一ヶ月の携帯電話利用料金を算出する。
【００５３】
具体例として、
（２月の通話料金）                              ・・・  ２１５０円
（２月のパケット通信料金）                      ・・・    ４３０円
（契約している基本料金）                        ・・・  ２０００円
（契約している留守番電話サービスの月額利用料金）・・・    ３００円
とする。
【００５４】
これらを足し合わせた金額「４８８０円」が、携帯電話機４０の２月の携帯電話利用料金である。
制御部３０３は、「通話料金２１５０円、パケット通信料金４３０円、基本料金２０００円、留守番電話サービス３００円、及び、携帯電話利用料金４８８０円」と、携帯電話機４０の電話番号「０９０‐△△△△‐××××」とを対応付けて、サービス料金決済部３０６へ出力する。
【００５５】
また、制御部３０３は、コンテンツ利用料金管理部３０５から、携帯電話機４０が一ヶ月に取得した全てのライセンスチケットに係る全てのコンテンツについて、コンテンツ毎に、日付とコンテンツ料金とを読み出す。制御部３０３は、読み出した全てのコンテンツ料金を合計して、一ヶ月のコンテンツ利用料金を算出する。
制御部３０３は、コンテンツ利用料金管理部３０５から読み出した全ての日付とコンテンツ料金との組、及び、算出したコンテンツ利用料金を、携帯電話機４０の電話番号に対応付けて、サービス料金決済部３０６へ出力する。
【００５６】
具体的に、制御部３０３は、「日付とコンテンツ料金との組（２００４．２．１１，１０００円）、コンテンツ利用料金１０００円」と、携帯電話機４０の電話番号「０９０‐△△△△‐××××」とを対応付けて、サービス料金決済部３０６へ出力する。
なお、制御部３０３は、上記の処理を一ヶ月に一度行う。
（４）携帯電話利用料金管理部３０４
携帯電話利用料金管理部３０４は、当該通信事業者が契約している電話番号毎に、契約している基本料金と、契約している付加サービスの月額利用料金と、通話料金と、パケット通信料金とを管理している。
【００５７】
ここで、携帯電話利用料金管理部３０４は、各携帯電話機による通話の都度、当該通話に係る通話料金を制御部３０３から受け取り、蓄積する。同様に、携帯電話利用料金管理部３０４は、各携帯電話機によるパケット通信の都度、当該パケット通信に係るパケット通信料金を制御部３０３から受け取り、蓄積する。
なお、携帯電話利用料金管理部３０４は、蓄積している通話料金及びパケット通信料金が、一ヶ月に一度制御部３０３により読み出されると、蓄積していた通話料金及びパケット通信料金を破棄する。
【００５８】
（５）コンテンツ利用料金管理部３０５
コンテンツ利用料金管理部３０５は、当該通信事業者が契約している電話番号毎に、当該電話番号を有する携帯電話機が取得したライセンスチケットに係るコンテンツ料金と日付（前記携帯電話機が当該ライセンスチケットを取得した日付）とを管理している。
ここで、コンテンツ利用料金管理部３０５は、制御部３０３から、電話番号と日付とコンテンツ料金とが出力される都度、電話番号毎にコンテンツ料金と日付とを蓄積して記憶する。
【００５９】
なお、コンテンツ利用料金管理部３０５は、蓄積しているコンテンツ料金と日付とが、一ヶ月に一度制御部３０３により読み出されると、蓄積していたコンテンツ料金と日付とを破棄する。
（６）サービス料金決済部３０６
サービス料金決済部３０６は、制御部３０３から受け取る情報に基づき、ユーザへ送付する請求書を生成する。
【００６０】
具体的に、携帯電話機４０の２月のサービス料金を例に説明する。
サービス料金決済部３０６は、制御部３０３から、「通話料金２１５０円、パケット通信料金４３０円、基本料金２０００円、留守番電話サービス３００円、及び、携帯電話利用料金４８８０円」と、携帯電話機４０の電話番号「０９０‐△△△△‐××××」とを受け取る。
【００６１】
更に、サービス料金決済部３０６は、制御部３０３から、「日付とコンテンツ料金との組（２００４．２．１１，１０００円）、コンテンツ利用料金１０００円」と、携帯電話機４０の電話番号「０９０‐△△△△‐××××」とを受け取る。
サービス料金決済部３０６は、受け取った携帯電話利用料金４８８０円とコンテンツ利用料金１０００円とを足し合わせ、サービス利用料金「５８８０円」を算出する。サービス料金決済部３０６は、これらの情報をもとに、図６に示す様な請求書２４０を生成する。請求書２４０は、サービス料金決済部３０６が生成する請求書の一例である。
【００６２】
当該通信事業者は、サービス料金決済部３０６が生成した請求書２４０に基づき、ユーザに対して、携帯電話利用料金とコンテンツ利用料金との合計であるサービス利用料金を請求する。
４．携帯電話機４０
携帯電話機４０は、無線電波を用いて通信を行う可搬型の電話機であって、具体的には、マイクロプロセッサ、ＲＯＭ、ＲＡＭ、液晶ディスプレィユニット、キー操作部、アンテナなどから構成されるコンピュータシステムである。ここで、携帯電話機４０は、ホームサーバ５０のユーザと同一のユーザが所有する携帯電話機であるとする。
【００６３】
図７は、携帯電話機４０の構成を示すブロック図である。同図に示す様に、携帯電話機４０は、送受信部４０１、制御部４０２、操作部４０３、通信部４０４、表示部４０５、記憶部４０６、アンテナ４０７、スピーカ４０８及びマイク４０９から構成される。
（１）送受信部４０１
送受信部４０１は、通話、メールの送受信及びインターネット接続の通信機能を有し、アンテナ４０７を介して、図示していないゲートウェイサーバとの間で無線電波の送受信を行う。更に、送受信部４０１は、ゲートウェイサーバを介してネットワーク６０に接続可能である。
【００６４】
具体的に、送受信部４０１は、制御部４０２からチケット要求を受け取り、受け取ったチケット要求を、ゲートウェイサーバ及びネットワーク６０を介してライセンスチケット配信サーバ２０へ送信する。前記チケット要求は、チケット番号「ＮＯ＿１」を含む。また、送受信部４０１は、ライセンスチケット配信サーバ２０からライセンスチケット２３１を受信し、受信したライセンスチケット２３１を制御部４０２へ出力する。また、送受信部４０１は、制御部４０２からライセンスチケット受取票２５０を受け取り、受け取ったライセンスチケット受取票２５０を、携帯電話料金管理サーバ３０へ送信する。
【００６５】
（２）制御部４０２
制御部４０２は、マイクロプロセッサ及び制御用プログラムから成り、マイクロプロセッサが前記プログラムを実行することにより、以下に示す処理を行う。
（ａ）制御部４０２は、図７に示すように、送受信部４０１、操作部４０３、通信部４０４、表示部４０５、記憶部４０６、スピーカ４０８及びマイク４０９と接続しており、これらの構成要素と連携し、通話、メール送受信、インターネット接続、電話帳管理など携帯電話機４０が有する各種の機能を制御する。
【００６６】
（ｂ）制御部４０２は、操作部４０３からチケット番号「ＮＯ＿１」を受け取り、受け取ったチケット番号「ＮＯ＿１」を含むチケット要求を生成し、生成したチケット要求を送受信部３０１へ出力する。
（ｃ）制御部４０２は、送受信部４０１からライセンスチケット２３１を受け取ると、受け取ったライセンスチケット２３１に基づき、図８に示すような、ライセンスチケット受取票２５０を生成する。
【００６７】
具体的に説明すると、制御部４０２は、ライセンスチケット２３１（図４参照）を受け取ると、ライセンスチケット２３１から、チケット番号「ＮＯ＿１」とコンテンツ料金「１０００円」とを読み出す。制御部４０２は、内部に記憶している自身のメールアドレス「ｍａｔｓｕｓｈｉｔａ＠ｘｘ．ｘｘｘ」と内部で管理している日付「２００４．２．１１」とを読み出す。
【００６８】
制御部４０２は、チケット番号「ＮＯ＿１」と、コンテンツ料金「１０００円」と、メールアドレス「ｍａｔｓｕｓｈｉｔａ＠ｘｘ．ｘｘｘ」と、日付「２００４．２．１１」とから成るライセンスチケット受取票２５０を生成する。制御部４０２は、生成したライセンスチケット受取票２５０を送受信部４０１へ出力する。
（ｄ）更に、制御部４０２は、送受信部４０１から受け取ったライセンスチケット２３１を通信部４０４へ出力する。
【００６９】
（３）操作部４０３
操作部４０３は、携帯電話機４０の操作面に設けられた数字ボタン、オンフックボタン、オフフックボタン、ファンクションボタン等の複数のボタンを含む。操作部４０３は、ユーザがボタンを押下することにより、ユーザが所望するライセンスチケットに対応するチケット番号の入力を受け付け、受け付けたチケット番号を制御部４０２へ出力する。
【００７０】
具体的に、ユーザは、ホームサーバ５０上に表示されているコンテンツ配信業者のホームページを閲覧しながら、所望のライセンスチケットを示すチケット番号が「ＮＯ＿１」であることを知る。操作部４０３は、表示部４０５に、チケット番号を入力するための画面が表示されている状態において、ユーザの操作により、チケット番号「ＮＯ＿１」の入力を受け付け、受け付けたチケット番号「ＮＯ＿１」を制御部４０２へ出力する。
【００７１】
（４）通信部４０４
通信部４０４は、アンテナを有し、制御部４０２から、ライセンスチケット２３１を受け取り、受け取ったライセンスチケット２３１を、短距離無線を用いてホームサーバ５０へ送信する。なお、通信部４０４が用いる短距離無線は、非接触ＩＣカード通信、赤外線通信、Ｂｌｕｅｔｏｏｔｈなどである。
【００７２】
（５）表示部４０５
表示部４０５は、液晶ディスプレィを備え、制御部４０２から出力される各種の画面制御情報に基づき、各種の画面を生成し、生成した画面を液晶ディスプレィに表示する。表示部４０５が液晶ディスプレィに表示する画面の一例は、チケット番号を入力するための画面である。
【００７３】
（６）記憶部４０６
記憶部４０６は、データを記憶する領域を備え、制御部４０２から出力される各種データを記憶する。
５．ホームサーバ５０
ホームサーバ５０は、マイクロプロセッサ、ＲＯＭ、ＲＡＭ、ハードディスクユニット、ディスプレィユニット、ネットワーク接続ユニット、キーボード、マウスなどから構成されるコンピュータシステムであり、ここでは特に、パーソナルコンピュータを想定している。なお、ホームサーバ５０の構成は図示していない。
【００７４】
ユーザは、ホームサーバ５０のディスプレィに表示されたコンテンツ配信業者のホームページを閲覧しながら、所望のコンテンツを選択する。具体的には、ディスプレィに表示されたホームページには、例えば、複数のコンテンツについてコンテンツ毎に、タイトル、サブタイトル、出演者、制作者、コメント、対応するライセンスチケットの情報（チケット番号、閲覧可能な回数、価格）等が表示されているものとする。ユーザは、ディスプレィに表示されたコンテンツのタイトルを、マウスなどを用いて選択する。
【００７５】
ホームサーバ５０は、ユーザによりコンテンツが選択されると、選択されたコンテンツを識別するコンテンツＩＤ「ＩＤ＿０００１」を含むコンテンツ要求を生成する。
ホームサーバ５０は、高速通信回線によりネットワーク６０に接続しており、生成したコンテンツ要求を、ネットワーク６０を介してコンテンツ配信サーバ１０へ送信する。ホームサーバ５０は、コンテンツ配信サーバ１０からコンテンツＩＤ｛ＩＤ＿０００１｝に対応するコンテンツが暗号化された暗号化コンテンツを受信し、内部に格納する。
【００７６】
また、ホームサーバ５０は、携帯電話機４０と短距離無線通信を行う機能を有しており、携帯電話機４０から短距離無線を用いて送信されるライセンスチケット２３１を受信する。ライセンスチケット２３１は、図４に示したように、コンテンツＩＤ「ＩＤ＿０００１」に対応したコンテンツ鍵「ｈｃ４２６Ｄ９９ｒｏ７ｖ」を含む。
ホームサーバ５０は、受信したライセンスチケット２３１からコンテンツ鍵「ｈｃ４２６Ｄ９９ｒｏ７ｖ」を読み出す。更に、ホームサーバ５０は、内部に格納している暗号化コンテンツを読み出し、読み出した暗号化コンテンツに、コンテンツ鍵「ｈｃ４２６Ｄ９９ｒｏ７ｖ」を復号鍵として用い、復号アルゴリズムＤを施してコンテンツを復号する。なお、復号アルゴリズムＤは、暗号アルゴリズムＥにより暗号化された暗号文を平文に復号するためのアルゴリズムである。
【００７７】
ホームサーバ５０は、ライセンスチケット２３１から著作権情報を読み出し、読み出した著作権情報の範囲内で、復号したコンテンツを再生する。
＜動作＞
ここでは、図９に示すフローチャートを用いて、決済システム１の動作について説明する。
【００７８】
ユーザは、ホームサーバ５０を用いてコンテンツ配信業者のホームページを閲覧しながら、利用したいコンテンツを選択する。ホームサーバ５０は、ユーザの入力によりコンテンツの選択を受け付ける（ステップＳ１００）。
ホームサーバ５０は、選択を受け付けたコンテンツを識別するコンテンツＩＤ「ＩＤ＿０００１」を含むコンテンツ要求を生成し（ステップＳ１０１）、生成したコンテンツ要求を、ネットワーク６０を介してコンテンツ配信サーバ１０へ送信し、コンテンツ配信サーバ１０は、コンテンツ要求を受信する（ステップＳ１０２）。
【００７９】
コンテンツ配信サーバ１０は、受信したコンテンツ要求からコンテンツＩＤを読み出し、読み出したコンテンツＩＤ「ＩＤ＿０００１」により識別される暗号化コンテンツを、コンテンツ格納領域から読み出す（ステップＳ１０３）。コンテンツ配信サーバ１０は、読み出した暗号化コンテンツをホームサーバ５０へ送信し、ホームサーバ５０は暗号化コンテンツを受信する（ステップＳ１０４）。ホームサーバ５０は、受信した暗号化コンテンツを内部に格納する（ステップＳ１０５）。
【００８０】
一方、ユーザは、ホームサーバ５０に表示されているコンテンツ配信業者のホームページを閲覧しながら、ステップＳ１００で選択したコンテンツに対応するライセンスチケットのチケット番号「ＮＯ＿１」を、操作部４０３を操作して携帯電話機４０に入力する。
携帯電話機４０は、チケット番号「ＮＯ＿１」の入力を受け付け（ステップＳ１０６）、受け付けたチケット番号「ＮＯ＿１」を含むチケット要求を生成する（ステップＳ１０７）。携帯電話機４０は、生成したチケット要求を、ゲートウェイサーバ及びネットワーク６０を介してライセンスチケット配信サーバ２０へ送信し、ライセンスチケット配信サーバ２０は、チケット要求を受信する（ステップＳ１０８）。
【００８１】
ライセンスチケット配信サーバ２０は、受信したチケット要求からチケット番号「ＮＯ＿１」を読み出し、ライセンスチケットテーブル２３０から、チケット番号「ＮＯ＿１」を含むライセンスチケット２３１を読み出す（ステップＳ１０９）。ライセンスチケット配信サーバ２０は、読み出したライセンスチケット２３１を、ネットワーク６０及びゲートウェイサーバを介して携帯電話機４０へ送信し、携帯電話機４０は、ライセンスチケット２３１を受信する（ステップＳ１１０）。
【００８２】
携帯電話機４０は、ライセンスチケット２３１を受信したこと、及び、ライセンスチケット２３１の代行決済を依頼することを示すライセンスチケット受取票２５０（図８参照）を生成する（ステップＳ１１１）。携帯電話機４０は、生成したライセンスチケット受取票２５０をゲートウェイサーバ及びネットワーク６０を介して携帯電話料金管理サーバ３０へ送信し、携帯電話料金管理サーバ３０は、ライセンスチケット受取票２５０を受信する（ステップＳ１１２）。
【００８３】
また、携帯電話機４０は、ステップＳ１１０でライセンスチケット配信サーバ２０から受信したライセンスチケット２３１を、通信部４０４を介して短距離無線によりホームサーバ５０へ送信し、ホームサーバ５０は、ライセンスチケット２３１を受信する（ステップＳ１１３）。ホームサーバ５０は、ステップＳ１０５で格納した暗号化コンテンツを、ライセンスチケット２３１に含まれるコンテンツ鍵を用いて復号する（ステップＳ１１４）。ホームサーバ５０は、ライセンスチケット２３１に含まれる著作権情報の範囲内で、復号したコンテンツを再生する（ステップＳ１１５）。
【００８４】
一方、ステップＳ１１２で携帯電話機４０からライセンスチケット受取票２５０を受信した携帯電話料金管理サーバ３０は、ライセンスチケット配信サーバ２０との間で、銀行の端末を介してライセンスチケット２３１に係るコンテンツ料金の代行決済を行う（ステップＳ１１６）。その後、携帯電話料金管理サーバ３０は、通話料金、パケット通信料金などから成る携帯電話利用料金と、ステップＳ１１６で代行決済したコンテンツ料金とを足し合わせ、サービス料金を算出し、図６に示すような請求書２４０を生成する（ステップＳ１１７）。
【００８５】
その後、通信事業者は、ステップＳ１１７で生成した請求書２４０に基づき、ユーザにサービス料金を請求する。
（第２実施例）
【００８６】
本発明に係る第２実施例として、決済システム２について図面を参照して説明する。
図１０は、決済システム２の構成を示すシステム構成図である。同図に示す様に、決済システム２は、コンテンツ配信サーバ１０ａ、ライセンスチケット配信サーバ２０ａ、電子マネー入金装置３０ａ、携帯電話機４０ａ及びホームサーバ５０ａから構成される。コンテンツ配信サーバ１０ａ、ライセンスチケット配信サーバ２０ａ及びホームサーバ５０ａは、それぞれ、ネットワーク６０に接続しており、携帯電話機４０ａは、図示していないゲートウェイサーバを介してネットワーク６０に接続可能であるとする。
【００８７】
決済システム１におけるコンテンツ料金の決済は、通信事業者が有する携帯電話料金管理サーバ３０が、ユーザに代わってコンテンツ料金の代行決済を行い、一ヶ月に一度、携帯電話利用料金とコンテンツ利用料金とを合わせたサービス料金を、ユーザに請求することが特徴であったが、決済システム２におけるコンテンツ料金の決済は、通信事業者の装置を介して行うのはなく、携帯電話機４０ａの耐タンパー領域にチャージされている電子マネー情報を用いることが特徴である。電子マネー情報は、貨幣価値をディジタルデータで表したものである。
【００８８】
＜構成＞
ここでは、決済システム２の構成について説明する。なお、コンテンツ配信サーバ１０ａ及びホームサーバ５０ａは、それぞれ、第１実施例で説明したコンテンツ配信サーバ１０及びホームサーバ５０と同様の機能を有するため、説明を省略する。
１．ライセンスチケット配信サーバ２０ａ
図１１は、ライセンスチケット配信サーバ２０ａの構成を機能的に示す機能ブロック図である。同図に示すように、ライセンスチケット配信サーバ２０ａは、コンテンツ鍵入力部２０１ａ、コンテンツ情報入力部２０２ａ、制御部２０３ａ、ライセンスチケット記憶部２０４ａ、ＴＲＭ（ＴａｍｐｅｒＲｅｓｉｓｔａｎｔ Ｍｏｄｕｌｅ：耐タンパーモジュール）２０５ａ、通信部２０６ａ及び送受信部２０７ａから構成される。
【００８９】
上記の構成要素の内、コンテンツ鍵入力部２０１ａ、コンテンツ情報入力部２０２ａ、ライセンスチケット記憶部２０４ａ及び送受信部２０７ａは、第１実施例におけるコンテンツ鍵入力部２０１、コンテンツ情報入力部２０２、ライセンスチケット記憶部２０４及び送受信部２０７と同様の機能及び構成を有するため説明を省略する。
（１）制御部２０３ａ
制御部２０３ａは、マイクロプロセッサと制御プログラムとから成り、マイクロプロセッサが前記制御プログラムを実行することにより、以下に示す処理を行う。
【００９０】
（ａ）制御部２０３ａは、第１実施例と同様に、コンテンツ鍵入力部２０１ａからコンテンツＩＤとコンテンツ鍵とを受け取り、コンテンツ情報入力部２０２ａからコンテンツＩＤとコンテンツ情報とを受け取る。制御部２０３ａは、一致するコンテンツＩＤを有するコンテンツ鍵とコンテンツ情報とを対応付け、更に、チケット番号を付加してライセンスチケットを生成する。制御部２０３ａは、生成したライセンスチケットをライセンスチケット記憶部２０４ａへ出力する。
【００９１】
（ｂ）制御部２０３ａは、通信部２０６ａを介して携帯電話機４０ａから電子マネー送信情報を受信する。ここで受信する電子マネー送信情報は、「１０００円」を示す電子マネー情報と、チケット番号「ＮＯ＿１」とを含む。
制御部２０３ａは、ライセンスチケット記憶部２０４ａに格納されているライセンスチケットテーブル２３０（図４）を参照して、チケット番号「ＮＯ＿１」を含むライセンスチケット２３１のコンテンツ料金と、受信した電子マネー送信情報に含まれる電子マネー情報が示す金額とが一致するか確認する。一致する場合、制御部２０３ａは、受信した電子マネー送信情報から電子マネー情報「１０００円」を読み出し、読み出した電子マネー情報「１０００円」を、ＴＲＭ２０５ａに出力する。
【００９２】
更に、制御部２０３ａは、「１０００円」を示す電子マネー情報を、確かに受信したことを示す領収書情報を生成し、生成した領収書情報を、通信部２０６ａを介して携帯電話機４０に返送する。
（ｃ）制御部２０３ａは、携帯電話機４０ａから、ネットワーク６０及び送受信部２０７ａを介して、チケット要求を受け取る。チケット要求は、チケット番号「ＮＯ＿１」と前記領収書情報とを含む。制御部２０３ａは、チケット要求からチケット番号「ＮＯ＿１」を読み出し、読み出したチケット番号を含むライセンスチケット２３１を、ライセンスチケット記憶部２０４ａから読み出す。制御部２０３ａは、読み出したライセンスチケット２３１を送受信部２０７ａ及びネットワーク６０を介して携帯電話機４０ａへ送信する。
【００９３】
（２）ＴＲＭ２０５ａ
ＴＲＭ２０５ａは、耐タンパー性を有するＩＣチップと電子マネー格納領域とから構成される。ＴＲＭ２０５ａは、制御部２０３ａから出力される電子マネー情報を受け取り、それまで格納していた電子マネー情報に加算して格納する。
ＴＲＭ２０５ａに格納されている電子マネー情報は、ライセンスチケット配信サーバ２０ａの外部から書き換えることはできない。
【００９４】
（３）通信部２０６ａ
通信部２０６ａは、携帯電話機４０ａの通信部４０４ａと短距離無線通信を行う。通信部２０６ａは、携帯電話機４０ａから受信した情報を制御部２０３ａへ出力する。
２．電子マネー入金装置３０ａ
電子マネー入金装置３０ａは、マイクロプロセッサ、ＲＯＭ、ＲＡＭなどから構成されるコンピュータシステムであって、具体的には、画面を表示してユーザの操作を受け付けるタッチパネル、ユーザから硬貨及び紙幣の投入を受け付ける貨幣投入口などを備える。
【００９５】
電子マネー入金装置は、例えば、コンビニエンスストアの店内など、ユーザが利用しやすい場所に設置されており、ユーザが有する携帯電話機４０ａと短距離無線通信を行い、携帯電話機４０ａ内部のＴＲＭ４１０ａに電子マネーをチャージする。
なお、電子マネー入金装置３０ａは、公知技術で実現可能であるため、その構成は図示していない。また、詳細な説明は省略する。
【００９６】
３．携帯電話機４０ａ
図１２は、携帯電話機４０ａの構成を機能的に示す機能ブロック図である。同図に示す様に、携帯電話機４０ａは、送受信部４０１ａ、制御部４０２ａ、操作部４０３ａ、通信部４０４ａ、表示部４０５ａ、記憶部４０６ａ、アンテナ４０７ａ、スピーカ４０８ａ、マイク４０９ａ及びＴＲＭ４１０ａから構成される。
【００９７】
上記の構成要素の内、送受信部４０１ａ、操作部４０３ａ、表示部４０５ａ、記憶部４０６ａ、アンテナ４０７ａ、スピーカ４０８ａ及びマイク４０９ａは、第１実施例における送受信部４０１、操作部４０３、表示部４０５、記憶部４０６、アンテナ４０７、スピーカ４０８及びマイク４０９と同様の機能及び構成を有するため説明を省略する。
（１）制御部４０２ａ
制御部４０２ａは、マイクロプロセッサ及び制御用プログラムから成り、マイクロプロセッサが前記プログラムを実行することにより、以下に示す処理を行う。
【００９８】
（ａ）制御部４０２ａは、ＴＲＭ４１０ａ内に電子マネー情報をチャージ（入金）する処理において、通信部４０４ａを介して、電子マネー入金装置３０ａとＴＲＭ４１０ａとの間で各種情報の入出力を行う。具体的には、制御部４０２ａは、入金要求を受け付けたことを示す情報、ＴＲＭ４１０内の残高を示す情報、ＴＲＭ４１０ａに入金する電子マネー情報等の入出力を行う。
【００９９】
（ｂ）制御部４０２ａは、ライセンスチケット２３１を取得する処理において、ＴＲＭ４１０ａから出力される電子マネー情報「１０００円」と、操作部４０３ａから出力される、チケット番号「ＮＯ＿１」とを受け取り、これらを含む電子マネー送信情報を生成する。制御部４０２ａは、生成した電子マネー送信情報を、通信部４０４ａを介してライセンスチケット配信サーバ２０ａへ送信する。
【０１００】
更に、制御部４０２ａは、通信部４０４ａを介してライセンスチケット配信サーバ２０ａから、前記電子マネー送信情報に対応した領収書情報を受信する。領収書情報は、チケット番号「ＮＯ＿１」に対応するライセンスチケット２３１の代金として、電子マネー情報「１０００円」を受領したことを示す情報である。
（ｃ）また、制御部４０２ａは、ライセンスチケット２３１を取得する処理において、チケット番号「ＮＯ＿１」と前記領収書情報とから成るチケット要求を生成する。制御部４０２ａは、生成したチケット要求を、送受信部４０１ａ及びネットワーク６０を介してライセンスチケット配信サーバ２０ａへ送信する。
【０１０１】
更に、制御部４０２ａは、ネットワーク６０及び送受信部４０１ａを介してライセンスチケット配信サーバ２０ａから、ライセンスチケット２３１を受信する。制御部４０２ａは、受信したライセンスチケット２３１を、通信部４０４ａを介してホームサーバ５０ａへ送信する。
（２）通信部４０４ａ
通信部４０４ａは、アンテナを有し、制御部４０２ａから、ライセンスチケット２３１を受け取り、受け取ったライセンスチケット２３１を、短距離無線を用いてホームサーバ５０ａへ送信する。
【０１０２】
また、通信部４０４ａは、制御部４０２ａから、電子マネー送信情報を受け取り、受け取った電子マネー送信情報を、短距離無線を用いて電子マネー入金装置３０ａへ送信する。更に、通信部４０４ａは、短距離無線を用いて電子マネー入金装置３０ａから領収書情報を受信し、受信した領収書情報を制御部４０２ａへ出力する。
なお、通信部４０４ａが用いる短距離無線は、非接触ＩＣカード通信、赤外線通信、Ｂｌｕｅｔｏｏｔｈなどである。
【０１０３】
（３）ＴＲＭ４１０ａ
ＴＲＭ４１０ａは、耐タンパー性を有するＩＣチップと電子マネー格納領域とから構成される。電子マネー格納領域は、貨幣価値を表す電子マネー情報を格納している。一例として、図１２では、電子マネー格納領域に「３０００円」を示す電子マネー情報が格納されている。
【０１０４】
ＴＲＭ４１０ａに格納されている電子マネー情報は、入金処理又は支払処理に伴い増減するが、携帯電話機４０ａの外部から書き換えることは出来ない。即ち、ユーザは、ＴＲＭ４１０ａに格納されている電子マネー情報を改竄することが出来ない。
なお、ユーザは、電子マネー入金装置３０ａを用いて、ＴＲＭ４１０ａに格納されている電子マネー情報の残高を照会することができる。
【０１０５】
以下では、入金処理と支払処理とにおける、ＴＲＭ４１０ａについて述べる。
（入金処理）ＴＲＭ４１０ａは、制御部４０２ａから電子マネー情報を受け取ると、受け取った電子マネー情報により示される金額を、それまで電子マネー格納領域に格納していた電子マネー情報により示される金額に加算し、加算後の金額を示す電子マネー情報を、それまで格納していた電子マネー情報に替えて電子マネー格納領域に格納する。
【０１０６】
例えば、ＴＲＭ４１０ａは電子マネー格納領域に「１０００円」を示す電子マネー情報を格納しているとする。ＴＲＭ４１０ａは、制御部４０２ａから、「２０００円」を示す電子マネー情報を受け取った場合、それまで格納していた「１０００円」に、受け取った「２０００円」を加算して「３０００円」を示す電子マネー情報を、電子マネー格納領域に格納する。
【０１０７】
（支払処理）ＴＲＭ４１０ａは、制御部４０２ａから、ライセンスチケット２３１に係るコンテンツ料金である「１０００円」を支払う指示を受け取ると、電子マネー格納領域に格納されている電子マネー情報「３０００円」から「１０００円」を減算し、減算後の金額「２０００円」を示す電子マネー情報を、それまで格納していた電子マネー情報に替えて格納する。更に、ＴＲＭ４１０ａは、「１０００円」を示す電子マネー情報を制御部４０２ａへ出力する。
【０１０８】
＜動作＞
ここでは、図１３から図１５に示すフローチャートを用いて、決済システム２の動作について説明する。
１．全体の動作
図１３は、システム全体の動作を示すフローチャートである。決済システム２は、先ず携帯電話機４０ａのＴＲＭ４１０ａに電子マネー情報をチャージする入金処理を行い（ステップＳ２０１）、その後、コンテンツの配信、ライセンスチケットの配信、復号、再生などコンテンツ利用処理を行う（ステップＳ２０２）。
【０１０９】
２．入金処理の動作
図１４は、入金処理の動作を示すフローチャートである。なお、ここで説明する動作は、図１３に示したフローチャートのステップＳ２０１の詳細である。携帯電話機４０ａのＴＲＭ４１０ａに電子マネー情報をチャージする入金処理は、電子マネー入金装置３０ａと携帯電話機４０ａとの間で行われる。なお、このとき電子マネー入金装置３０ａと携帯電話機４０ａとは、相互に短距離無線通信が可能な距離にあるとする。
【０１１０】
電子マネー入金装置３０ａは、画面上のパッチパネルがユーザに操作されることにより、入金要求を受け付ける（ステップＳ３０１）。電子マネー入金装置３０ａは、入金要求を受け付けたことを示す情報を、短距離無線通信により携帯電話機４０ａへ送信し、携帯電話機４０ａの通信部４０４ａは、前記情報を受信する（ステップＳ３０２）。
携帯電話機４０ａのＴＲＭ４１０ａは、制御部４０２ａを介して、入金要求を受け付けたことを示す前記情報を受け取ると、電子マネー格納領域に格納されている電子マネー情報の残高を読み（ステップＳ３０３）、残高を示す情報を制御部４０２ａへ出力する。具体例として、電子マネー情報の残高は「１０００円」であったとする。制御部４０２ａは、電子マネー情報の残高が「１０００円」であることを示す情報を、通信部４０４ａを介して、電子マネー入金装置３０ａへ送信し、電子マネー入金装置３０ａは、残高が「１０００円」であることを示す前記情報を受信する（ステップＳ３０４）。
【０１１１】
電子マネー入金装置３０ａは、ステップＳ３０４で受信した情報に基づき、画面上に、携帯電話機４０ａに格納されている電子マネー情報の残高「１０００円」を表示する（ステップＳ３０５）。続いて、電子マネー入金装置３０ａは、画面上に、ユーザから入金金額の指定を受け付けるための画面を表示し、タッチパネルがユーザに操作されることにより、入金金額の指定を受け付ける（ステップＳ３０６）。具体例として、ユーザは入金金額として「２０００円」を指定し、指定した金額「２０００円
」の貨幣を、電子マネー入金装置３０ａに設けられた貨幣投入口から投入する。
【０１１２】
電子マネー入金装置３０ａは、貨幣（硬貨又は紙幣）を受け付けると、金額の確認を行い、ステップＳ３０６で指定された入金金額「２０００円」と一致していれば、「２０００円」を示す電子マネー情報を生成する（ステップＳ３０７）。電子マネー入金装置３０ａは、生成した「２０００円」を示す電子マネー情報を、短距離無線を用いて携帯電話機４０ａへ送信し、携帯電話機４０ａの通信部４０４ａは、「２０００円」を示す電子マネー情報を受信する（ステップＳ３０８）。
【０１１３】
携帯電話機４０ａの制御部４０２ａは、通信部４０４ａを介して「２０００円」を示す電子マネー情報を受け取り、「２０００円」を示す電子マネー情報をＴＲＭ４１０ａへ出力する。ＴＲＭ４１０ａは、「２０００円」を示す電子マネー情報を受け取ると、ステップＳ３０３で読み出した残高「１０００円」に「２０００円」を加算し、加算後の金額「３０００円」を示す電子マネー情報を生成する。ＴＲＭ４１０ａは、生成した電子マネー情報「３０００円」を、電子マネー格納領域に格納する。（ステップＳ３０９）。
【０１１４】
３．コンテンツ利用処理の動作
図１５は、コンテンツ利用処理の動作を示すフローチャートである。なお、ここに示す動作は、図１３に示したフローチャートのステップＳ２０２の詳細である。
ユーザは、ホームサーバ５０ａを用いてコンテンツ配信業者のホームページを閲覧しながら、利用したいコンテンツを選択する。ホームサーバ５０ａは、ユーザの入力によりコンテンツの選択を受け付ける（ステップＳ４０１）。
【０１１５】
ホームサーバ５０ａは、選択を受け付けたコンテンツを識別するコンテンツＩＤ「ＩＤ＿０００１」を含むコンテンツ要求を生成し（ステップＳ４０２）、生成したコンテンツ要求を、ネットワーク６０を介してコンテンツ配信サーバ１０ａへ送信し、コンテンツ配信サーバ１０ａは、コンテンツ要求を受信する（ステップＳ４０３）。
コンテンツ配信サーバ１０ａは、受信したコンテンツ要求からコンテンツＩＤを読み出し、読み出したコンテンツＩＤ「ＩＤ＿０００１」により識別される暗号化コンテンツを、コンテンツ格納領域から読み出す（ステップＳ４０４）。コンテンツ配信サーバ１０ａは、読み出した暗号化コンテンツをホームサーバ５０ａへ送信し、ホームサーバ５０ａは暗号化コンテンツを受信する（ステップＳ４０５）。ホームサーバ５０は、受信した暗号化コンテンツを内部に格納する（ステップＳ４０６）。
【０１１６】
一方、ユーザは、ホームサーバ５０ａに表示されているコンテンツ配信業者のホームページを閲覧しながら、ステップＳ４０１で選択したコンテンツに対応するライセンスチケットのチケット番号「ＮＯ＿１」を、操作部４０３ａを操作することにより携帯電話機４０ａに入力する。更に、ユーザは、チケット番号「ＮＯ＿１」により識別されるライセンスチケットに係るコンテンツ料金「１０００円」を、操作部４０３ａを操作することにより携帯電話機４０ａに入力する。
【０１１７】
携帯電話機４０ａは、チケット番号「ＮＯ＿１」及びコンテンツ料金「１０００円」の入力を受け付ける（ステップＳ４０７）。
携帯電話機４０ａの制御部４０２ａは、ステップＳ４０７で受け付けたコンテンツ料金「１０００円」に相当する電子マネー情報を読み出す指示をＴＲＭ４１０ａへ出力し、ＴＲＭ４１０ａから「１０００円」を示す電子マネー情報を受け取る。制御部４０２ａは、電子マネー情報「１０００円」及びチケット番号「ＮＯ＿１」含む電子マネー送信情報を生成する（ステップＳ４０８）。通信部４０４ａは、短距離無線を用いて、ライセンスチケット配信サーバ２０ａへ電子マネー送信情報を送信し、ライセンスチケット配信サーバ２０ａは、前記電子マネー送信情報を受信する（ステップＳ４０９）。
【０１１８】
ライセンスチケット配信サーバ２０ａの制御部２０３ａは、ステップＳ４０９で受信した電子マネー送信情報の内容を確認する。制御部２０３ａは、電子マネー送信情報に含まれる電子マネー情報「１０００円」をＴＲＭ２０５ａに出力し、ＴＲＭ２０５ａは、制御部２０３ａから受け取る電子マネー情報「１０００円」を内部の電子マネー格納領域に格納する（ステップＳ４１０）。
【０１１９】
その後、制御部２０３ａは、電子マネー情報「１０００円」を確かに受領したことを示す領収書情報を生成する。通信部２０６ａは、短距離無線を用いて領収書情報を携帯電話機４０ａへ送信し、携帯電話機４０ａは、領収書情報を受信する（ステップＳ４１１）。
続いて、携帯電話機４０ａは、チケット番号「ＮＯ＿１」とステップＳ４１１で受信した領収書情報とを含むチケット要求を生成する（ステップＳ４１２）。携帯電話機４０ａは、生成したチケット要求を、ゲートウェイサーバ及びネットワーク６０を介してライセンスチケット配信サーバ２０ａへ送信し、ライセンスチケット配信サーバ２０ａは、チケット要求を受信する（ステップＳ４１３）。
【０１２０】
ライセンスチケット配信サーバ２０ａの制御部２０３ａは、受信したチケット要求から領収書情報を読み出し、自身が発行した領収書情報であることを確認する。その後、制御部２０３ａは、チケット要求からチケット番号「ＮＯ＿１」を読み出し、ライセンスチケット記憶部２０４ａから、チケット番号「ＮＯ＿１」を含むライセンスチケット２３１を読み出す（ステップＳ４１４）。制御部２０３ａは、読み出したライセンスチケット２３１を、送受信部２０７ａ及びネットワーク６０を介して携帯電話機４０ａへ送信し、携帯電話機４０ａは、ライセンスチケット２３１を受信する（ステップＳ４１５）。
【０１２１】
携帯電話機４０ａの制御部４０２ａは、送受信部４０１ａからライセンスチケット２３１を受け取り、受け取ったライセンスチケット２３１を、通信部４０４ａへ出力する。通信部４０４ａは、短距離無線を用いて、ライセンスチケット２３１を、ホームサーバ５０ａへ送信し、ホームサーバ５０ａは、ライセンスチケット２３１を受信する（ステップＳ４１６）。
【０１２２】
ホームサーバ５０ａは、ステップＳ４０６で格納した暗号化コンテンツを、ライセンスチケット２３１に含まれるコンテンツ鍵を用いて復号する（ステップＳ４１７）。ホームサーバ５０ａは、ライセンスチケット２３１に含まれる著作権情報の範囲内で、復号したコンテンツを再生する（ステップＳ４１８）。
（第３実施例）
【０１２３】
本発明に係る第３実施例として、決済システム３について図面を参照して説明する。
図１６は、決済システム３の構成を示すシステム構成図である。同図に示す様に、決済システム３は、コンテンツ配信サーバ１０ｂ、ライセンスチケット配信サーバ２０ｂ、電子マネー入金装置３０ｂ、携帯電話機４０ｂ、ホームサーバ５０ｂ及びメモリカード７０ｂから構成される。コンテンツ配信サーバ１０ｂ、ライセンスチケット配信サーバ２０ｂ及びホームサーバ５０ｂは、それぞれ、ネットワーク６０に接続しており、携帯電話機４０ｂは、図示していないゲートウェイサーバを介してネットワーク６０に接続可能であるとする。
【０１２４】
決済システム３は、決済システム２と同様に、携帯電話機４０ｂの耐タンパー領域にチャージされている電子マネー情報を用いて、コンテンツの決済を行う。決済システム２との相違は、ホームサーバ５０ｂではなく、携帯電話機４０ｂでコンテンツを再生することである。
＜構成＞
ここでは、決済システム３の構成について説明する。なお、コンテンツ配信サーバ１０ｂは第１実施例で説明したコンテンツ配信サーバ１０と同様の構成及び機能を有し、ライセンスチケット配信サーバ２０ｂ及び電子マネー入金装置３０ｂは、第２実施例で説明したライセンスチケット配信サーバ２０ａ及び電子マネー入金装置３０ａと同様の構成及び機能を有するため、これらの装置については、説明を省略する。
【０１２５】
１．ホームサーバ５０ｂ
ホームサーバ５０ｂは、第１及び第２実施例と同様に、コンテンツ配信サーバ１０ｂへコンテンツを要求し、コンテンツ配信サーバ１０ｂから、暗号化コンテンツを取得する。コンテンツ配信サーバ１０ｂから取得する暗号化コンテンツは、ＭＰＥＧ‐２規格に従い符号化されたディジタルコンテンツが、対応するコンテンツ鍵で暗号化されたものである。
【０１２６】
第１及び第２実施例と異なるのは、ホームサーバ５０ｂは、変換部とメモリカード入出力部とを備えることである。
変換部は、ＭＰＥＧ‐２のディジタルデータを、ＭＰＥＧ‐４のディジタルデータへ変換する機能を備え、変換回路又は変換ソフトウェア等によって実現される。返還部は、コンテンツ配信サーバ１０ｂから暗号化コンテンツを取得すると、取得した暗号化コンテンツをＭＰＥＧ‐４のディジタルデータに変換する。
【０１２７】
メモリカード入出力部は、メモリカード７０ｂが挿入可能なカードスロットと、メモリカードドライバ等によって実現される。メモリカード入出力部は、メモリカード７０ｂが挿入された状態において、変換部により変換された暗号化コンテンツをメモリカード７０ｂに書き込む。
２．メモリカード７０ｂ
メモリカード７０ｂは、ホームサーバ５０ｂから、携帯電話機４０ｂへ、暗号化コンテンツを伝送するために用いられるカード型の記録媒体である。
【０１２８】
メモリカード７０ｂは、ホームサーバ５０ｂのメモリカード入出力部に挿入され、ホームサーバ５０ｂにより暗号化コンテンツが書き込まれる。その後、メモリカード７０ｂは、携帯電話機４０ｂのメモリカード入出力部４１１ｂに挿入され、携帯電話機４０ｂにより、格納されている暗号化コンテンツが読み出される。
３．携帯電話機４０ｂ
図１７は、携帯電話機４０ｂの構成を機能的に示す機能ブロック図である。同図に示す様に、携帯電話機４０ｂは、送受信部４０１ｂ、制御部４０２ｂ、操作部４０３ｂ、通信部４０４ｂ、表示部４０５ｂ、記憶部４０６ｂ、アンテナ４０７ｂ、スピーカ４０８ｂ、マイク４０９ｂ、ＴＲＭ４１０ｂ及びメモリカード入出力部４１１ｂから構成される。
【０１２９】
上記の構成要素の内、送受信部４０１ｂ、操作部４０３ｂ、記憶部４０６ｂ、アンテナ４０７ｂ及びマイク４０９ｂは、第１実施例における送受信部４０１、操作部４０３、記憶部４０６、アンテナ４０７及びマイク４０９と同様の機能及び構成を有し、ＴＲＭ４１０ｂは、第２実施例におけるＴＲＭ４１０ａと同様の機能及び構成を有するため、これらの説明は省略する。
【０１３０】
（１）メモリカード入出力部４１１ｂ
メモリカード入出力部４１１ｂは、メモリカード７０ｂが挿入可能なカードスロット、メモリカードドライバ等から構成される。メモリカード入出力部４１１ｂは、暗号化コンテンツが格納されたメモリカード７０ｂがカードスロットに挿入されると、メモリカード７０ｂから暗号化コンテンツを読み出し、読み出した暗号化コンテンツを制御部４０２ｂへ出力する。
【０１３１】
（２）制御部４０２ｂ
制御部４０２ｂは、マイクロプロセッサ、制御用プログラムなどから構成され、マイクロプロセッサが制御用プログラムを実行することにより、携帯電話機４０ｂ全体を制御する。なお、ここでは、第２実施例における制御部４０２と同様の機能については述べず、制御部４０２ｂ特有の構成及び機能を中心に説明する。
【０１３２】
（ａ）制御部４０２ｂは、復号部を備える。復号部は、メモリカード入出力部４１１ｂから出力される暗号化コンテンツを受け取る。また、復号部は、送受信部４０１を介して受け取ったライセンスチケット２３１からコンテンツ鍵「ｈｃ４２６Ｄ９９ｒｏ７ｖ」を読み出す。復号部は、暗号化コンテンツに、コンテンツ鍵「ｈｃ４２６Ｄ９９ｒｏ７ｖ」を復号鍵として用い、コンテンツを復号する。復号部は、復号したコンテンツを、次に述べるデコード部へ出力する。
【０１３３】
（ｂ）制御部４０２ｂは、デコード部を備える。デコード部は、復号部から復号されたコンテンツを受け取り、受け取ったコンテンツをデコードして、映像信号と音声信号とを生成する。デコード部は、映像信号を表示部４０５ｂへ出力し、音声信号をスピーカ４０８ｂへ出力する。
（３）表示部４０５ｂ及びスピーカ４０８ｂ
表示部４０５ｂは、制御部４０２ｂのデコード部から映像信号を受け取り、受け取った映像信号をディスプレィに出力する。
【０１３４】
スピーカ４０８ｂは、制御部４０２ｂのデコード部から音声信号を受け取り、受け取った音声信号を出力する。
＜動作＞
ここでは、図１８に示すフローチャートを用いて、決済システム３の動作について説明する。
【０１３５】
ユーザは、ホームサーバ５０ｂを用いてコンテンツ配信業者のホームページを閲覧しながら、利用したいコンテンツを選択する。ホームサーバ５０ｂは、ユーザの入力によりコンテンツの選択を受け付ける（ステップＳ５０１）。
ホームサーバ５０ｂは、選択を受け付けたコンテンツを識別するコンテンツＩＤ「ＩＤ＿０００１」を含むコンテンツ要求を生成し（ステップＳ５０２）、生成したコンテンツ要求を、ネットワーク６０を介してコンテンツ配信サーバ１０ｂへ送信し、コンテンツ配信サーバ１０ｂは、コンテンツ要求を受信する（ステップＳ５０３）。
【０１３６】
コンテンツ配信サーバ１０ｂは、受信したコンテンツ要求からコンテンツＩＤを読み出し、読み出したコンテンツＩＤ「ＩＤ＿０００１」により識別される暗号化コンテンツを、コンテンツ格納領域から読み出す（ステップＳ５０４）。コンテンツ配信サーバ１０ｂは、読み出した暗号化コンテンツをホームサーバ５０ｂへ送信し、ホームサーバ５０ｂは暗号化コンテンツを受信する（ステップＳ５０５）。
【０１３７】
ホームサーバ５０ｂは、受信した暗号化コンテンツを、ＭＰＥＧ‐２からＭＰＥＧ‐４に変換し（ステップＳ５０６）、変換後の暗号化コンテンツを、カードスロットに挿入されているメモリカード７０ｂに出力する（ステップＳ５０７）。
メモリカード７０ｂは、ホームサーバ５０ｂから出力される暗号化コンテンツを格納する（ステップＳ５０８）。
【０１３８】
一方、ユーザは、ホームサーバ５０ｂに表示されているコンテンツ配信業者のホームページを閲覧しながら、ステップＳ５０１で選択したコンテンツに対応するライセンスチケットのチケット番号「ＮＯ＿１」を、操作部４０３ｂを操作することにより携帯電話機４０ｂに入力する。更に、ユーザは、チケット番号「ＮＯ＿１」により識別されるライセンスチケットに係るコンテンツ料金「１０００円」を、操作部４０３ｂを操作することにより携帯電話機４０ｂに入力する。
【０１３９】
携帯電話機４０ｂは、チケット番号「ＮＯ＿１」及びコンテンツ料金「１０００円」の入力を受け付ける（ステップＳ５０９）。
携帯電話機４０ｂの制御部４０２ｂは、ステップＳ５０９で受け付けたコンテンツ料金「１０００円」に相当する電子マネー情報を読み出す指示をＴＲＭ４１０ｂへ出力し、ＴＲＭ４１０ｂから「１０００円」を示す電子マネー情報を受け取る。制御部４０２ｂは、電子マネー情報「１０００円」及びチケット番号「ＮＯ＿１」含む電子マネー送信情報を生成する（ステップＳ５１０）。通信部４０４ｂは、短距離無線を用いて、ライセンスチケット配信サーバ２０ｂへ電子マネー送信情報を送信し、ライセンスチケット配信サーバ２０ｂは、前記電子マネー送信情報を受信する（ステップＳ５１１）。
【０１４０】
ライセンスチケット配信サーバ２０ｂは、ステップＳ４０９で受信した電子マネー送信情報の内容を確認する。ライセンスチケット配信サーバ２０ｂは、電子マネー送信情報に含まれる電子マネー情報「１０００円」を、内部の耐タンパーモジュールに格納する（ステップＳ１２）。
その後、ライセンスチケット配信サーバ２０ｂは、電子マネー情報「１０００円」を確かに受領したことを示す領収書情報を生成し、生成した領収書情報を短距離無線を用いて携帯電話機４０ｂへ送信し、携帯電話機４０ｂは、領収書情報を受信する（ステップＳ５１３）。
【０１４１】
続いて、携帯電話機４０ｂは、チケット番号「ＮＯ＿１」とステップＳ５１３で受信した領収書情報とを含むチケット要求を生成する（ステップＳ５１４）。携帯電話機４０ｂは、生成したチケット要求を、ゲートウェイサーバ及びネットワーク６０を介してライセンスチケット配信サーバ２０ｂへ送信し、ライセンスチケット配信サーバ２０ｂは、チケット要求を受信する（ステップＳ５１５）。
【０１４２】
ライセンスチケット配信サーバ２０ｂは、受信したチケット要求から領収書情報を読み出し、自身が発行した領収書情報であることを確認する。その後、ライセンスチケット配信サーバ２０ｂは、チケット要求からチケット番号「ＮＯ＿１」を読み出し、チケット番号「ＮＯ＿１」を含むライセンスチケット２３１を、内部のライセンスチケット格納領域から読み出す（ステップＳ５１６）。ライセンスチケット配信サーバ２０ｂは、読み出したライセンスチケット２３１を、ネットワーク６０を介して携帯電話機４０ａへ送信し、携帯電話機４０ａは、ライセンスチケット２３１を受信する（ステップＳ５１７）。
【０１４３】
ユーザは、暗号化コンテンツが格納されたメモリカード７０ｂを携帯電話機４０ｂのメモリカード入出力部４１１ｂに挿入する。
メモリカード入出力部４１１ｂは、メモリカード７０ｂから暗号化コンテンツを読み出す（ステップＳ５１８）。
携帯電話機４０ｂの制御部４０２ｂは、送受信部４０１ｂからステップＳ５１７で受信したライセンスチケット２３１を受け取り、受け取ったライセンスチケット２３１からコンテンツ鍵を読み出す。制御部４０２ｂは、ステップＳ５１８で読み出した暗号化コンテンツを、読み出したコンテンツ鍵「ｈｃ４２６Ｄ９９ｒｏ７ｖ」を用いて復号する（ステップＳ５１９）。制御部４０２ｂは、復号したコンテンツをデコードして、ライセンスチケット２３１に含まれる著作権情報の範囲内で再生する（ステップＳ５２０）。
（第４実施例）
【０１４４】
本発明に係る第４実施例として、決済システム４について図面を参照して説明する。
図１９は、決済システム４の構成を示すシステム構成図である。同図に示す様に、決済システム４は、コンテンツ配信サーバ１０００、ライセンスチケット配信サーバ２０００、携帯電話料金管理サーバ３０００、登録サーバ３１００、ゲートウェイサーバ４０００、携帯電話機１（４１００）、携帯電話機２（４２００）、携帯電話機３（４３００）、ルータ５０００、ホームサーバ１（５１００）、ホームサーバ２（５２００）、ホームサーバ３（５３００）及び電子マネー入金装置７０００から構成される。
【０１４５】
コンテンツ配信サーバ１０００、ライセンスチケット配信サーバ２０００、携帯電話料金管理サーバ３０００及びゲートウェイサーバ４０００は、ネットワーク６０００に接続している。また、携帯電話機１（４１００）、携帯電話機２（４２００）及び携帯電話機３（４３００）は、それぞれ、ゲートウェイサーバ４０００を介してネットワーク６０００に接続可能であり、ホームサーバ１（５１００）、ホームサーバ２（５２００）及びホームサーバ３（５３００）は、ルータ５０００を介してネットワーク６０００に接続している。
【０１４６】
ここで、図１９において実線で囲まれている機器のうち、ルータ５０００、ホームサーバ１（５１００）、ホームサーバ２（５２００）及びホームサーバ３（５３００）は、家庭内に存在する。また、携帯電話機１（４１００）、携帯電話機２（４２００）及び携帯電話機３（４３００）は、ユーザが携帯している可搬型の電話機であるため、必ずしも家庭内に存在しているとは限らないが、家族により使用される機器であるとする。
【０１４７】
上記の実施例では、１個の携帯電話機及び１個のホームサーバを含むシステムについて説明してきたが、決済システム４は、複数個の携帯電話機及び複数個のホームサーバを含むシステムである。また、決済システム１では、コンテンツの利用料金を、通信事業者が代行決済する構成を有し、決済システム２及び決済システム３では、コンテンツの利用料金を、携帯電話機にチャージされている電子マネーを用いて支払う構成を有するが、決済システム４は、これらを併用したシステムであって、ある条件の基では、コンテンツの利用料金を通信事業者が代行決済し、またある条件の基では、コンテンツの利用料金を、携帯電話機にチャージされている電子マネーを用いて支払う構成を有する。以下では、その詳細について説明する。
【０１４８】
＜構成＞
ここでは、決済システム４の各構成機器について説明する。
１．コンテンツ配信サーバ１０００
コンテンツ配信サーバ１０００は、第１実施例で説明したコンテンツ配信サーバ１０と同様の構成及び機能を有するため、説明を省略する。
【０１４９】
２．ライセンスチケット配信サーバ２０００
図２０は、ライセンスチケット配信サーバ２０００の構成を機能的に示す機能ブロック図である。
同図に示す様に、ライセンスチケット配信サーバ２０００は、コンテンツ鍵入力部２００１、コンテンツ情報入力部２００２、制御部２００３、ライセンスチケット記憶部２００４、未決済情報記憶部２００５、決済情報記憶部２００６、ＴＲＭ２００７、通信部２００８、送受信部２００９及び事業者識別子記憶部２０１０から構成される。
【０１５０】
コンテンツ鍵入力部２００１、コンテンツ情報入力部２００２、ライセンスチケット記憶部２００４、未決済情報記憶部２００５、決済情報記憶部２００６及び送受信部２００９は、それぞれ、図２に示した第１実施例のライセンスチケット配信サーバ２０の構成要素であるコンテンツ鍵入力部２０１、コンテンツ情報入力部２０２、ライセンスチケット記憶部２０４、未決済情報記憶部２０５、決済情報記憶部２０６及び送受信部２０９と同様の構成及び機能を有する。
【０１５１】
また、ＴＲＭ２００７及び通信部２００８は、それぞれ、図１１に示した第２実施例のライセンスチケット配信サーバ２０ａの構成要素であるＴＲＭ２０５ａ及び通信部２０６ａと同様の構成及び機能を有する。
事業者識別子記憶部２０１０は、第４実施例に特有の構成要素である。事業者識別子記憶部２０１０は、ＲＯＭで構成されており、予め内部に事業者識別子を記憶している。事業者識別子記憶部２０１０に記憶されている事業者識別子は、ライセンスチケット配信サーバ２０００を用いてライセンスチケット配信のサービスを行う事業者を一意に識別するための情報である。図２０に示す様に、当該事業者を一意に識別する事業者識別子は、ＩＤ＿２０００（２０１１）である。ＩＤ＿２０００（２０１１）は、例えば、優良なネットワークサービスを行う事業者を認定する機関から付与された番号であるとする。この場合、ＩＤ＿２０００（２０１１）は、前記番号が事業者識別子記憶部２０１０にセキュアに書き込まれたものとする。なお、事業者識別子記憶部２０１０に書き込まれたＩＤ＿２０００（２０１１）は、ユーザによる改竄が不可能であるとする。なお、事業者識別子は、上記の様に付与された番号に限定されるものではなく、ライセンスチケット配信サーバ２０００のネットワークアドレスなどを用いてもよい。
【０１５２】
制御部２００３は、マイクロプロセッサ、ＲＯＭ、ＲＡＭ等から構成される。制御部２００３は、送受信部２００９及びネットワーク６０００を介して、携帯電話機１（４１００）、携帯電話機２（４２００）及び携帯電話機３（４３００）から、チケット番号を含むチケット要求を受け付ける。
制御部２００３は、チケット要求を受け付けると、チケット要求からチケット番号を抽出し、抽出したチケット番号に対応するライセンスチケットを、ライセンスチケット記憶部２００４から読み出す。更に、制御部２００３は、事業者識別子記憶部２０１０からＩＤ＿２０００（２０１１）を読み出す。
【０１５３】
制御部２００３は、読み出したライセンスチケットと事業者識別子ＩＤ＿２０００（２０１１）を、送受信部２００９及びネットワーク６０００を介して、要求元の携帯電話機へ送信する。
３．携帯電話料金管理サーバ３０００及び登録サーバ３１００
ここでは、携帯電話料金管理サーバ３０００及び登録サーバ３１００の構成について説明する。
【０１５４】
携帯電話料金管理サーバ３０００及び登録サーバ３１００は、携帯電話機１（４１００）、携帯電話機２（４２００）及び携帯電話機３（４３００）を所有する各ユーザが契約しており、各ユーザにサービスを提供する１の通信事業者が有する装置である。
３‐１  携帯電話料金管理サーバ３０００
図２１は、携帯電話料金管理サーバ３０００の構成を機能的に示す機能ブロック図である。同図に示す様に、携帯電話料金管理サーバ３０００は、送受信部３００１、コンテンツ料金決済部３００２、制御部３００３、携帯電話利用料金管理部３００４、コンテンツ利用料金管理部３００５、サービス料金決済部３００６及び問合部３００７から構成される。
【０１５５】
送受信部３００１、コンテンツ料金決済部３００２、携帯電話利用料金管理部３００４、コンテンツ利用料金管理部３００５及びサービス料金決済部３００６は、それぞれ、図５に示した第１実施例の携帯電話料金管理サーバ３０の構成要素である送受信部３０１、コンテンツ料金決済部３０２、携帯電話利用料金管理部３０４、コンテンツ利用料金管理部３０５及びサービス料金決済部３０６と同様の構成及び機能を有する。
【０１５６】
制御部３００３は、マイクロプロセッサ、ＲＯＭ、ＲＡＭ等から構成される。制御部３００３は、送受信部３００１及びネットワーク６０００を介して、携帯電話機１（４１００）、携帯電話機２（４２００）及び携帯電話機３（４３００）から、ライセンスチケット受取票を受信する。制御部３００３は、ライセンスチケット受取票を受信すると、ライセンスチケット受取票から、事業者情報欄に記述されている事業者識別子を抽出し、抽出した事業者識別子を問合部３００７へ出力する。
【０１５７】
制御部３００３が、携帯電話機から受信するライセンスチケット受取票の一例は、図２４に示すライセンスチケット受取票４１３０である。制御部３００３は、ライセンスチケット受取票４１３０を受信した場合、ライセンスチケット受取票４１３０の事業者情報欄からＩＤ＿２０００を抽出し、抽出したＩＤ＿２０００を、問合部３００７へ出力する。  なお、ライセンスチケット受取票４１３０の詳細は後述する。
【０１５８】
制御部３００３は、問合部３００７から、「代行決済不可能」を示す信号を受け取ると、その旨を送受信部３００１及びネットワーク６０００を介して携帯電話機へ通知する。制御部３００３は、問合部３００７から、「代行決済可能」を示す信号を受け取ると、第１実施例で開示した携帯電話料金管理サーバ３０の制御部３０３と同様に、携帯電話機料金にコンテンツ料金を加算してサービス料金を算出する。
【０１５９】
問合部３００７は、第４実施例に特有の構成要素である。問合部３００７は、ＬＡＮ接続ユニット等から構成され、ＬＡＮを介して登録サーバ３１００と接続されている。
問合部３００７は、制御部３００３から、制御部３００３がライセンスチケット受取票から抽出した事業者識別子を受け取る。問合部３００７は、受け取った事業者識別子を含む問合要求を生成する。問合要求は、当該事業者識別子により識別される事業者との間で代行決済を実行することの可否を問い合わせる旨の情報である。問合部３００７は、生成した問合要求をＬＡＮを介して登録サーバ３１００へ送信する。
【０１６０】
また問合部３００７は、登録サーバ３１００から、問合要求に対する回答である回答情報を受信する。回答情報は、「０」及び「１」の何れかを含む。「０」は、代行決済が不可能であり、「１」は、代行決済が可能であることを示す。
問合部３００７は、登録サーバ３１００から「０」を含む回答情報を受け取ると、「代行決済不可能」を示す信号を制御部３００３へ出力する。一方、問合部３００７は、登録サーバ３１００から「１」を含む回答情報を受け取ると、「代行決済可能」を示す信号を制御部３００３へ出力する。
【０１６１】
３‐２  登録サーバ３１００
図２２は、登録サーバ３１００の構成を機能的に示す機能ブロック図である。同図に示す様に、登録サーバ３１００は、入出力部３１０１、制御部３１０２及び記憶部３１０３から構成される。登録サーバ３１００は、具体的には、マイクロプロセッサ、ＲＯＭ、ＲＡＭ、ハードディスクユニットなどから構成されるコンピュータシステムである。
【０１６２】
（１）入出力部３１０１
入出力部３１０１は、ＬＡＮ接続ユニットなどから構成され、ＬＡＮを介して携帯電話料金管理サーバ３０００と通信を行う。
具体的には、入出力部３１０１は、携帯電話料金管理サーバ３０００から問合要求を受信し、受信した問合要求を制御部３１０２へ出力する。また、入出力部３１０１は、制御部３１０２から受け取る回答情報を、携帯電話料金管理サーバ３０００へ送信する。
【０１６３】
（２）制御部３１０２
制御部３１０２は、マイクロプロセッサ、ＲＯＭ、ＲＡＭなどから構成される。
制御部３１０２は、入出力部３１０１から問合要求を受け取る。制御部３１０２は、問合要求を受け取ると、受け取った問合要求から事業者識別子を抽出する。更に、制御部３１０２は、記憶部３１０３から登録テーブル３１０５を読み出し、読み出した登録テーブル３１０５に、抽出した事業者識別子が登録されているか否か判断する。
【０１６４】
制御部３１０２は、登録テーブル３１０５に事業者識別子が含まれると判断する場合、「１」を含む回答情報を生成し、事業者識別子が含まれないと判断する場合、「０」を含む回答情報を生成し、生成した回答情報を入出力部３１０１へ出力する。
一例として、制御部３１０２は問合要求から事業者識別子ＩＤ＿２０００を抽出した場合について考える。図２２に示すように、登録テーブル３１０５は、ＩＤ＿２０００（３１０６）を含む。したがって、制御部３１０２は、「１」を含む回答情報を生成し、生成した回答情報を入出力部３１０１へ出力する。
【０１６５】
（３）記憶部３１０３
記憶部３１０３は、ハードディスクユニットから構成され、予め内部に登録テーブル３１０５を記憶している。
図２２に示す様に、登録テーブル３１０５は、事業者識別子ＩＤ＿２０００（３１０６）、ＩＤ＿２５００（３１０７）、ＩＤ＿２６９９（３１０８）、・・・を含む。登録テーブル３１０５に含まれるこれらの事業者識別子は、当該通信事業者が代行決済可能であるネットワークサービス事業者を一意に識別するための情報である。すなわち、登録テーブル３１０５に登録されている事業者識別子は、信頼できネットワークサービス事業者を識別するための情報であり、通信事業者は、信頼できるネットワークサービス事業者に対しては、代行決済を行い、信頼できないネットワークサービス事業者に対しては、代行決済を行わない。
【０１６６】
なお、登録サーバ３１００は、携帯電話料金管理サーバ３０００と同一の通信事業者が有する装置ではなく、独立した他の組織が有する装置であってもよい。例えば、優良なネットワークサービスを提供する事業者を認証する組織などである。この場合、携帯電話料金管理サーバ３０００と登録サーバ３１００とは、ＬＡＮを介して接続されておらず、ネットワーク６０００を介して通信を行う。
【０１６７】
４．携帯電話機１（４１００）、携帯電話機２（４２００）及び携帯電話機３（４３００）
ここでは、携帯電話機１（４１００）、携帯電話機２（４２００）及び携帯電話機３（４３００）の構成について説明する。携帯電話機１（４１００）、携帯電話機２（４２００）及び携帯電話機３（４３００）は、１の家庭において、それぞれの家族が所持する可搬型の電話機である。これらの電話機は、全て同一の通信事業者によりサービスを提供を受けるものとする。
【０１６８】
４‐１  携帯電話機１（４１００）
図２３は、携帯電話機１（４１００）の構成を機能的に示す機能ブロック図である。
同図に示す様に、携帯電話機１（４１００）は、送受信部４１０１、制御部４１０２、操作部４１０３、通信部４１０４、表示部４１０５、記憶部４１０６、アンテナ４１０７、スピーカ４１０８、マイク４１０９及びＴＲＭ４１１０から構成される。ＴＲＭ４１１０は電子マネー格納領域４１１７を含み、電子マネー格納領域４１１７には、「３０００円」を示す電子マネー情報４１１８が記憶されている。電子マネー情報４１１８は、第2実施例で開示した携帯電話機４０ａと同様、電子マネー入金装置７０００を用いて電子マネー格納領域４１１７に格納された情報である。
【０１６９】
携帯電話機１（４１００）は、基本的には、図１２に示した携帯電話機４０ａと同様の構成要素から成る。特に、送受信部４１０１、操作部４１０３、通信部４１０４、表示部４１０５、アンテナ４１０７、スピーカ４１０８、マイク４１０９及びＴＲＭ４１１０は、携帯電話機４０ａの構成要素である送受信部４０１ａ、操作部４０３ａ、通信部４０４ａ、表示部４０５ａ、アンテナ４０７ａ、スピーカ４０８ａ、マイク４０９ａ及びＴＲＭ４１０ａと同一の構成及び機能を有するため、ここでは説明を省略する。
【０１７０】
（１）制御部４１０２
制御部４１０２は、マイクロプロセッサ、ＲＯＭ、ＲＡＭなどから構成され、携帯電話機１（４１００）全体を制御する。ここでは、上記第1実施例から第3実施例で開示した携帯電話機の制御部とは異なる機能を中心に説明する。
（ａ）制御部４１０２は、ライセンスチケット配信サーバ２０００からライセンスチケットと事業者識別子とを受信する。ここでは、具体例として、制御部４１０２は、図４に示したライセンスチケット２３１と事業者識別子「ＩＤ＿２０００」とを受信した場合について説明する。制御部４１０２は、受信したライセンスチケット２３１からチケット番号「ＮＯ＿１」及びコンテンツ料金「１０００円」を抽出する。制御部４１０２は、内部に記憶している自身のメールアドレス「ｍａｔｓｕｓｈｉｔａ＠ｘｘ．ｘｘｘ」と内部で管理している日付「２００５．３．２２」とを読み出す。
【０１７１】
制御部４１０２は、チケット番号「ＮＯ＿１」、コンテンツ料金「１０００円」、メールアドレス「ｍａｔｓｕｓｈｉｔａ＠ｘｘ．ｘｘｘ」、日付「２００５．３．２２」、及び受信した事業者識別子「ＩＤ＿２０００」から、図２４に示すライセンスチケット受取票４１３０生成する。制御部４１０２は、生成したライセンスチケット受取票４１３０を送受信部４１０１、アンテナ４１０７、ゲートウェイサーバ４０００及びネットワーク６０００を介して、携帯電話料金管理サーバ３０００へ送信する。
【０１７２】
（ｂ）ここで、携帯電話料金管理サーバ３０００へ送信されたライセンスチケット受取票４１３０に対して、携帯電話料金管理サーバ３０００が、代行決済不可能であると判断する場合には、制御部４１０２は、ネットワーク６０００、ゲートウェイサーバ４０００、アンテナ４１０７及び送受信部４１０１を介して、携帯電話料金管理サーバ３０００から、その旨を示す情報を受信する。
【０１７３】
この場合、制御部４１０２は、第2実施例で開示した制御部４０２ａと同様に、ＴＲＭ４１１０から出力される電子マネー情報「１０００円」及びライセンスチケット２３１から抽出したチケット番号「ＮＯ＿１」を含む電子マネー送信情報を生成する。制御部４１０２は、生成した電子マネー送信情報を、通信部４１０４を介してライセンスチケット配信サーバ２０００へ送信する。
【０１７４】
（ｃ）次に、ライセンスチケット送信処理について説明する。制御部４１０２は、ライセンスチケット配信サーバ２０００からライセンスチケットを受信すると、後述する記憶部４１０６の機器ＩＤ領域４１１１から、携帯電話機１（４１００）の機器ＩＤであるＴＩＤ＿０１（４１１３）を読み出す。制御部４１０２は、読み出したＴＩＤ＿０１（４１１３）を含むチケット送信要求を生成する。チケット送信要求は、ライセンスチケットを含まず、ライセンスチケットの送信を要求する旨を示す情報である。
【０１７５】
制御部４１０２は、生成したチケット送信要求を、通信部４１０４を介して、ホームサーバ１（５１００）、ホームサーバ２（５２００）及びホームサーバ３（５３００）の何れかに送信する。制御部４１０２は、通信部４１０４を介して、チケット送信要求を送信したホームサーバから、送信要求を拒否する旨を示す信号を受信する場合には、当該ホームサーバに対して、ライセンスチケットの送信を行わない。一方、チケット送信要求を送信したホームサーバが、ライセンスチケットの送信を許可する場合には、制御部４１０２は、通信部４１０４を介して、当該ホームサーバから当該ホームサーバの機器ＩＤを含むチケット受信要求を受信する。
【０１７６】
チケット受信要求を受信した制御部４１０２は、受信したチケット受信要求からホームサーバの機器ＩＤを抽出する。更に、制御部４１０２は、記憶部４１０６の有効機器情報領域４１１２から、登録されている機器ＩＤを全て読み出す。
制御部４１０２は、有効機器情報領域４１１２から読み出した機器ＩＤに、チケット受信要求から抽出した機器ＩＤと一致する機器ＩＤが存在するか否か判断する。一致する機器ＩＤが存在しない場合には、制御部４１０２は、ライセンスチケットの送信を拒否する旨を示す信号を、通信部４１０４を介して、前記ホームサーバへ送信する。一致する機器ＩＤが存在する場合には、制御部４１０２は、ライセンスチケット配信サーバ２０００から受信したライセンスチケットを、通信部４１０４を介して、前記ホームサーバへ送信する。
【０１７７】
具体的には、図２３に示す様に、有効機器情報領域４１１２には、ＳＩＤ＿０１（４１１４）、ＳＩＤ＿０２（４１１５）及びＳＩＤ＿０３（４１１６）の3個の機器ＩＤが登録されている。したがって、チケット受信要求から抽出する機器ＩＤが、前記3個の機器ＩＤの何れかと一致する場合に限り、制御部４１０２は、ライセンスチケットを送信する。
【０１７８】
（２）記憶部４１０６
記憶部４１０６は、機器ＩＤ領域４１１１と有効機器情報領域４１１２とを備える。
機器ＩＤ領域４１１１は、自機の機器ＩＤであるＴＩＤ＿０１（４１１３）を予め記憶している。ＴＩＤ＿０１（４１１３）は、携帯電話機１（４１００）の製造時に機器ＩＤ領域４１１１に書き込まれた固有の製造番号や、携帯電話機１（４１００）の電話番号などを用いてもよい。
【０１７９】
有効機器情報領域４１１２は、携帯電話機１（４１００）がライセンスチケット配信サーバ２０００から受信したライセンスチケットを送信することが可能なホームサーバを識別するための情報を予め記憶している。図２３に示す様に、有効機器情報領域４１１２には、後述するホームサーバ１（５１００）の機器ＩＤであるＳＩＤ＿０１（４１１４）、ホームサーバ２（５２００）の機器ＩＤであるＳＩＤ＿０２（４１１５）及びホームサーバ３（５３００）の機器ＩＤであるＳＩＤ＿０３（４１１６）が登録されている。なお、有効機器情報領域４１１２への機器ＩＤの登録は、予めユーザの操作により行われるものとする。
【０１８０】
４‐２  携帯電話機２（４２００）
携帯電話機２（４２００）は、携帯電話機１（４１００）を所持するユーザとは別の家族が所持している携帯電話機である。
図２５は、携帯電話機２（４２００）の構成を機能的に示す機能ブロック図である。
同図に示す様に、携帯電話機２（４２００）は、送受信部４２０１、制御部４２０２、操作部４２０３、通信部４２０４、表示部４２０５、記憶部４２０６、アンテナ４２０７、スピーカ４２０８、マイク４２０９及びＴＲＭ４２１０から構成される。ＴＲＭ４２１０は電子マネー格納領域４２１７を含み、電子マネー格納領域４２１７には、「７０００円」を示す電子マネー情報４２１８が記憶されている。なお、電子マネー情報４２１８は、電子マネー入金装置７０００を用いて電子マネー格納領域４２１７に格納された情報である。
【０１８１】
携帯電話機２（４２００）は、携帯電話機１（４１００）と同様の構成及び機能を有するが、記憶部４２０６が記憶している情報が、携帯電話機１（４１００）と異なる。同図に示す様に、記憶部４１０６は、機器ＩＤ領域４２１１と有効機器情報領域４２１２とを備える。
機器ＩＤ領域４２１１は、自機の機器ＩＤであるＴＩＤ＿０２（４２１３）を予め記憶している。ＴＩＤ＿０２（４２１３）は、ＴＩＤ＿０１と同様に、携帯電話機２（４２００）の製造時に機器ＩＤ領域４２１１に書き込まれた固有の製造番号や、携帯電話機２（４２００）の電話番号などを用いてもよい。
【０１８２】
有効機器情報領域４２１２は、携帯電話機２（４２００）がライセンスチケット配信サーバ２０００から受信したライセンスチケットを送信することが可能なホームサーバを識別するための情報を予め記憶している。同図に示す様に、有効機器情報領域４２１２には、後述するホームサーバ２（５２００）の機器ＩＤであるＳＩＤ＿０２（４２１４）が登録されている。したがって、携帯電話機２（４２００）は、チケット受信要求から抽出する機器ＩＤが、ＳＩＤ＿０２と一致する場合に限り、ライセンスチケットを送信する。
【０１８３】
なお、有効機器情報領域４１１２への機器ＩＤの登録は、携帯電話機１（４１００）と同様、予めユーザの操作により行われるものとする。
４‐３  携帯電話機３（４３００）
携帯電話機３（４３００）は、携帯電話機１（４１００）を所持するユーザ及び携帯電話機２（４２００）を所持するユーザとは別の家族が所持している携帯電話機である。
【０１８４】
図２６は、携帯電話機３（４３００）の構成を機能的に示す機能ブロック図である。
同図に示す様に、携帯電話機３（４３００）は、送受信部４３０１、制御部４３０２、操作部４３０３、通信部４３０４、表示部４３０５、記憶部４３０６、アンテナ４３０７、スピーカ４３０８、マイク４３０９及びＴＲＭ４３１０から構成される。ＴＲＭ４３１０は電子マネー格納領域４３１７を含み、電子マネー格納領域４３１７には、「５５００円」を示す電子マネー情報４３１８が記憶されている。なお、電子マネー情報４３１８は、電子マネー入金装置７０００を用いて電子マネー格納領域４３１７に格納された情報である。
【０１８５】
携帯電話機３（４３００）は、携帯電話機１（４１００）及び携帯電話機２（４２００）と同様の構成及び機能を有するが、記憶部４３０６が記憶している情報が、携帯電話機１（４１００）及び携帯電話機２（４２００）と異なる。同図に示す様に、記憶部４３０６は、機器ＩＤ領域４３１１と有効機器情報領域４３１２とを備える。
機器ＩＤ領域４３１１は、自機の機器ＩＤであるＴＩＤ＿０３（４３１３）を予め記憶している。ＴＩＤ＿０３（４３１３）は、ＴＩＤ＿０１及びＴＩＤ＿０２と同様に、携帯電話機３（４３００）の製造時に機器ＩＤ領域４３１１に書き込まれた固有の製造番号や、携帯電話機３（４３００）の電話番号などを用いてもよい。
【０１８６】
有効機器情報領域４３１２は、携帯電話機３（４３００）がライセンスチケット配信サーバ２０００から受信したライセンスチケットを送信することが可能なホームサーバを識別するための情報を予め記憶している。同図に示す様に、有効機器情報領域４３１２には、後述するホームサーバ３（５３００）の機器ＩＤであるＳＩＤ＿０３（４３１４）が登録されている。したがって、携帯電話機３（４３００）は、チケット受信要求から抽出する機器ＩＤが、ＳＩＤ＿０３と一致する場合に限り、ライセンスチケットを送信する。
【０１８７】
なお、有効機器情報領域４３１２への機器ＩＤの登録は、携帯電話機１（４１００）及び携帯電話機２（４２００）と同様、予めユーザの操作により行われるものとする。
５．ホームサーバ１（５１００）、ホームサーバ２（５２００）及びホームサーバ３（５３００）
ここでは、ホームサーバ１（５１００）、ホームサーバ２（５２００）及びホームサーバ３（５３００）の構成について説明する。
【０１８８】
５‐１  ホームサーバ１（５１００）
図２７は、ホームサーバ１（５１００）の構成を機能的に示す機能ブロック図である。同図に示す様に、ホームサーバ１（５１００）は、送受信部５１０１、操作入力部５１０２、通信部５１０３、制御部５１０４、記憶部５１０５、再生制御部５１０６、モニタ５１０７及びスピーカ５１０８から構成される。
【０１８９】
ホームサーバ１（５１００）は、第1実施例で開示したホームサーバ５０と同様、マイクロプロセッサ、ＲＯＭ、ＲＡＭ、ハードディスクユニット、ネットワーク接続ユニット、ディスプレィユニット、キーボード及びマウス等を備えるコンピュータシステムであって、ここでは一例として、パーソナルコンピュータを想定している。なお、ホームサーバ１（５１００）は、パーソナルコンピュータに限定されず、ハードディスクレコーダなど、コンテンツを取得して再生する装置であればいかなる装置であってもよい。
【０１９０】
なお、ホームサーバ１（５１００）は、家庭内の一室に設置された装置であるとする。
（１）送受信部５１０１
送受信部５１０１は、ネットワーク接続ユニットであって、ルータ５０００を介してネットワーク６０００に接続する機能を有する。
送受信部５１０１は、制御部５１０４からコンテンツＩＤを含むコンテンツ要求を受け取る。送受信部５１０１は、受け取ったコンテンツ要求を、ルータ５０００及びネットワーク６０００を介してコンテンツ配信サーバ１０００へ送信する。また、送受信部５１０１は、コンテンツ配信サーバ１０００から、コンテンツ要求に対応した暗号化コンテンツを受信し、受信した暗号化コンテンツを、制御部５１０４へ出力する。
（２）操作入力部５１０２
操作入力部５１０２は、キーボード及びマウスなどから構成される。操作入力部５１０２は、キーボード及びマウスがユーザに操作されることにより、コンテンツの選択を受け付ける。具体的には、ユーザは、モニタ５１０７に表示されたコンテンツ配信業者のホームページを閲覧しながら、所望のコンテンツを選択する。モニタ５１０７に表示されるホームページには、例えば、複数のコンテンツについてコンテンツ毎に、タイトル、サブタイトル、出演者、制作者、コメント、対応するライセンスチケットの情報（チケット番号、閲覧可能な回数、価格）等が表示されているものとする。ユーザは、モニタ５１０７に表示されたコンテンツのタイトルを、マウスなどを用いて選択する。
【０１９１】
操作入力部５１０２は、選択されたコンテンツのコンテンツＩＤを取得し、取得したコンテンツＩＤを、制御部５１０４へ出力する。
（３）通信部５１０３
通信部５１０３は、携帯電話機１（４１００）携帯電話機２（４２００）及び携帯電話機３（４３００）と短距離無線通信を行う機能を有する。
【０１９２】
通信部５１０３は、各携帯電話機から、短距離無線を用いて送信されるチケット送信要求を受信する。通信部５１０３は、チケット送信要求を受信すると、受信したチケット送信要求を、制御部５１０４へ出力する。また、通信部５１０３は、各携帯電話機から送信されるライセンスチケットを受信する。通信部５１０３は、受信したライセンスチケットを、制御部５１０４へ出力する。
（４）制御部５１０４
制御部５１０４は、マイクロプロセッサ、ＲＯＭ及びＲＡＭなどから構成され、ホームサーバ１（５１００）の全体を制御する。
【０１９３】
制御部５１０４は、操作入力部５１０２からコンテンツＩＤを受け取る。制御部５１０４は、コンテンツＩＤを受け取ると、受け取ったコンテンツＩＤを含むコンテンツ要求を生成し、生成したコンテンツ要求を、送受信部５１０１、ルータ５０００及びネットワーク６０００を介して、コンテンツ配信サーバ１０００へ送信する。また、制御部５１０４は、コンテンツ配信サーバ１０００から、ネットワーク６０００、ルータ５０００及び送受信部５１０１を介して、前記コンテンツＩＤを有するコンテンツが暗号化されて生成された暗号化コンテンツを受信する。制御部５１０４は、受信した暗号化コンテンツを、記憶部５１０５のコンテンツ領域５１１３に格納する。
【０１９４】
一例として、制御部５１０４は、コンテンツＩＤ「ＩＤ＿０００１」を含むコンテンツ要求を、コンテンツ配信サーバ１０００へ送信し、コンテンツＩＤ「ＩＤ＿０００１」により識別されるコンテンツが暗号化されて生成された暗号化コンテンツ「ＣＮＴ＿０００１」を、コンテンツ配信サーバ１０００から受信する。
また、制御部５１０４は、通信部５１０３を介して、携帯電話機からチケット送信要求を受け取る。制御部５１０４は、受け取ったチケット送信要求から前記携帯電話機の機器ＩＤを抽出する。更に、制御部５１０４は、記憶部５１０５の有効機器情報領域５１１２から、登録されている機器ＩＤを全て読み出す。
【０１９５】
制御部５１０４は、有効機器情報領域５１１２から読み出した機器ＩＤに、チケット送信要求から抽出した機器ＩＤと一致する機器ＩＤが存在するか否か判断する。一致する機器ＩＤが存在しない場合には、制御部５１０４は、ライセンスチケットの受信を拒否する旨を示す信号を、通信部５１０３を介して、携帯電話機へ送信する。
一致する機器ＩＤが存在する場合には、制御部５１０４は、記憶部５１０５の機器ＩＤ領域５１１１から、ホームサーバ１（５１００）の機器ＩＤであるＳＩＤ＿０１（５１１４）を読み出す。制御部５１０４は、読み出したＳＩＤ＿０１（５１１４）を含むチケット受信要求を生成する。制御部５１０４は、生成したチケット受信要求を、通信部５１０３を介して、携帯電話機へ送信する。
【０１９６】
図２７に示す様に、有効機器情報領域５１１２には、携帯電話機１（４１００）の機器ＩＤであるＴＩＤ＿０１（５１１５）が記憶されている。したがって、チケット送信要求から抽出する機器ＩＤがＴＩＤ＿０１（５１１５）の場合に限り、ホームサーバ１（５１００）は、チケット受信要求を送信する。
また、制御部５１０４は、通信部５１０３を介して携帯電話機１（４１００）からライセンスチケットを受信する。制御部５１０４は、受信したライセンスチケットからコンテンツ鍵と著作権情報とを抽出し、抽出したコンテンツ鍵と著作権情報とを再生制御部５１０６へ出力する。
【０１９７】
（５）記憶部５１０５
記憶部５１０５は、具体的にはハードディスクユニット等から構成される。記憶部５１０５は、図２７に示す様に、機器ＩＤ領域５１１１、有効機器情報領域５１１２及びコンテンツ領域５１１３を備える。
機器ＩＤ領域５１１１は、自機の機器ＩＤであるＳＩＤ＿０１（５１１４）を予め記憶している。ＳＩＤ＿０１（４１１３）は、ホームサーバ１（５１００）の製造時に機器ＩＤ領域５１１１に書き込まれた固有の製造番号や、ホームサーバ１（５１００）のネットワークアドレスなどを用いてもよい。
【０１９８】
有効機器情報領域５１１２は、ホームサーバ１（５１００）が、ライセンスチケットを受信可能な通信相手である携帯電話機を識別するための情報を予め記憶している。図２７に示す様に、有効機器情報領域５１１２には、携帯電話機１（４１００）の機器ＩＤであるＴＩＤ＿０１（５１１５）が登録されている。なお、有効機器情報領域５１１２への機器ＩＤの登録は、予めユーザの操作により行われるものとする。
【０１９９】
コンテンツ領域５１１３は、暗号化コンテンツを記憶するための領域である。コンテンツ領域５１１３は、制御部５１０４が送受信部５１０１、ルータ５０００及びネットワーク６０００を介してコンテンツ配信サーバ１０００から取得した暗号化コンテンツを、制御部５１０４から受け取り、記憶する。図２７に示す様に、コンテンツ領域５１１３は、暗号化コンテンツＣＮＴ＿０００１、・・・と複数個の暗号化コンテンツを記憶している。なお、暗号化コンテンツＣＮＴ＿０００１は、コンテンツＩＤ「ＩＤ＿０００１」により識別されるコンテンツデータが暗号化アルゴリズムＥを用いて暗号化されたデータであるとする。
【０２００】
（６）再生制御部５１０６
再生制御部５１０６は、復号回路、ビデオデコーダ、オーディオデコーダ等から構成される。
再生制御部５１０６は、制御部５１０４から暗号化コンテンツ、コンテンツ鍵及び著作権情報を受け取る。再生制御部５１０６は、受け取った著作権情報の範囲内で、暗号化コンテンツに、コンテンツ鍵を復号鍵として用い、復号アルゴリズムＤを施すことによりコンテンツを復号する。なお、復号アルゴリズムＤは、暗号アルゴリズムＥにより生成された暗号文を平文に変換するアルゴリズムである。
【０２０１】
また、再生制御部５１０６は、生成されたコンテンツをビデオデータとオーディオデータとに分離し、それぞれをデコードすることにより映像信号と音声信号とを生成する。再生制御部５１０６は、生成した映像信号をモニタ５１０７へ出力し、音声信号をスピーカ５１０８へ出力する。
（７）モニタ５１０７及びスピーカ５１０８
モニタ５１０７は、再生制御部５１０６から映像信号を受け取り、受け取った映像信号を出力する。
【０２０２】
スピーカ５１０８は、再生制御部５１０６から音声信号を受け取り、受け取った音声信号を出力する。
５‐２  ホームサーバ２（５２００）
ホームサーバ２（５２００）は、家庭内において、ホームサーバ１（５１００）が設置された部屋とは別の部屋に設置された装置であるとする。
【０２０３】
図２８は、ホームサーバ２（５２００）の構成を機能的に示す機能ブロック図である。
同図に示す様に、ホームサーバ２（５２００）は、送受信部５２０１、操作入力部５２０２、通信部５２０３、制御部５２０４、記憶部５２０５、再生制御部５２０６、モニタ５２０７及びスピーカ５２０８から構成される。
ホームサーバ２（５２００）は、ホームサーバ１（５１００）と同様の構成及び機能を有するが、記憶部５２０５が記憶している情報が、ホームサーバ１（５１００）と異なる。同図に示す様に、記憶部５２０５は、機器ＩＤ領域５２１１、有効機器情報領域５２１２及びコンテンツ領域５２１３を備える。
【０２０４】
機器ＩＤ領域５２１１は、自機の機器ＩＤであるＳＩＤ＿０２（５２１４）を予め記憶している。ＳＩＤ＿０２（５２１３）は、ＳＩＤ＿０１と同様に、ホームサーバ２（５２００）の製造時に機器ＩＤ領域５２１１に書き込まれた固有の製造番号や、ホームサーバ２（５２００）のネットワークアドレスなどを用いてもよい。
有効機器情報領域５２１２は、ホームサーバ２（５２００）がライセンスチケットを受信可能な通信相手である携帯電話機を識別するための情報を予め記憶している。図２８に示す様に、有効機器情報領域５２１２には、携帯電話機１（４１００）の機器ＩＤであるＴＩＤ＿０１（５２１２）及び携帯電話機２（４２００）の機器ＩＤであるＴＩＤ＿０２（５２１３）が登録されている。したがって、チケット送信要求から抽出する機器ＩＤがＴＩＤ＿０１（５２１２）及びＴＩＤ＿０２（５２１３）の場合に、ホームサーバ２（５２００）は、チケット受信要求を送信する。なお、有効機器情報領域５２１２への機器ＩＤの登録は、ホームサーバ１（５１００）と同様、予めユーザの操作により行われるものとする。
【０２０５】
コンテンツ領域５２１３は、暗号化コンテンツを記憶するための領域であり、同図に示す様に、暗号化コンテンツＣＮＴ＿０００２、・・・と複数個の暗号化コンテンツを記憶している。なお、暗号化コンテンツＣＮＴ＿０００２は、コンテンツＩＤ「ＩＤ＿０００２」により識別されるコンテンツデータが暗号化アルゴリズムＥを用いて暗号化されたデータであるとする。
【０２０６】
５‐３  ホームサーバ３（５３００）
ホームサーバ３（５３００）は、家庭内において、ホームサーバ１（５１００）が設置された部屋及びホームサーバ２（５２００）が設置された部屋とは別の部屋に設置された装置であるとする。
図２９は、ホームサーバ３（５３００）の構成を機能的に示す機能ブロック図である。
【０２０７】
同図に示す様に、ホームサーバ３（５３００）は、送受信部５３０１、操作入力部５３０２、通信部５３０３、制御部５３０４、記憶部５３０５、再生制御部５３０６、モニタ５３０７及びスピーカ５３０８から構成される。
ホームサーバ３（５３００）は、ホームサーバ１（５１００）及びホームサーバ２（５２００）と同様の構成及び機能を有するが、記憶部５３０５が記憶している情報が、ホームサーバ１（５１００）及びホームサーバ２（５２００）と異なる。同図に示す様に、記憶部５３０５は、機器ＩＤ領域５３１１、有効機器情報領域５３１２及びコンテンツ領域５３１３を備える。
【０２０８】
機器ＩＤ領域５３１１は、自機の機器ＩＤであるＳＩＤ＿０３（５３１４）を予め記憶している。ＳＩＤ＿０３（５３１３）は、ＳＩＤ＿０１と同様に、ホームサーバ３（５３００）の製造時に機器ＩＤ領域５３１１に書き込まれた固有の製造番号や、ホームサーバ３（５３００）のネットワークアドレスなどを用いてもよい。
有効機器情報領域５３１２は、ホームサーバ３（５３００）がライセンスチケットを受信可能な通信相手である携帯電話機を識別するための情報を予め記憶している。図２９に示す様に、有効機器情報領域５３１２には、携帯電話機１（４１００）の機器ＩＤであるＴＩＤ＿０１（５３１５）、携帯電話機２（４２００）の機器ＩＤであるＴＩＤ＿０２（５３１６）及び携帯電話機３（４３００）の機器ＩＤであるＴＩＤ＿０３（５３１７）が登録されている。したがって、チケット送信要求から抽出する機器ＩＤがＴＩＤ＿０１（５３１５）、ＴＩＤ＿０２（５３１６）及びＴＩＤ＿０３（５３１７）の場合に限り、ホームサーバ３（５３００）は、チケット受信要求を送信する。なお、有効機器情報領域５３１２への機器ＩＤの登録は、ホームサーバ１（５１００）と同様、予めユーザの操作により行われるものとする。
【０２０９】
コンテンツ領域５３１３は、暗号化コンテンツを記憶するための領域であり、同図に示す様に、暗号化コンテンツＣＮＴ＿０００３、・・・と複数個の暗号化コンテンツを記憶している。なお、暗号化コンテンツＣＮＴ＿０００３は、コンテンツＩＤ「ＩＤ＿０００３」により識別されるコンテンツデータが暗号化アルゴリズムＥを用いて暗号化されたデータであるとする。
【０２１０】
６．電子マネー入金装置７０００
電子マネー入金装置７０００は、第２実施例で説明した電子マネー入金装置３０ａと同様の構成及び機能を有するため、説明を省略する。
＜動作＞
ここでは、決済システム４の動作について説明する。
【０２１１】
１．システム全体の動作
先ず、決済システム４全体の動作は、図１３に示した決済システム２の全体の動作と同様である。決済システム４は、先ず、電子マネー入金装置７０００により、携帯電話機１（４１００）、携帯電話機２（４２００）及び携帯電話機３（４３００）のＴＲＭに電子マネー情報をチャージする入金処理を行い（ステップＳ２０１）、その後、コンテンツの配信、ライセンスチケットの配信、復号、再生などコンテンツ利用処理を行う（ステップＳ２０２）。
【０２１２】
なお、ステップＳ２０１の入金処理の動作は、図１４に示したフローチャートにおいて、電子マネー入金装置３０ａを、電子マネー入金装置７０００へ置き換え、携帯電話機４０ａを、携帯電話機１（４１００）、携帯電話機２（４２００）及び携帯電話機３（４３００）へ置き換えた処理と同一であるため、説明を省略する。
２．コンテンツ利用処理の動作
図３０及び図３１は、コンテンツ利用処理における決済システム４の動作を示すフローチャートである。なお、ここに示す動作は、図１３のステップＳ２０２の詳細である。なお、図３０及び図３１では、携帯電話機１（４１００）、携帯電話機２（４２００）及び携帯電話機３（４３００）を総称して「携帯電話機」と記載し、ホームサーバ１（５１００）、ホームサーバ２（５２００）及びホームサーバ３（５３００）を総称して「ホームサーバ」と記載している。
【０２１３】
ユーザは、ホームサーバを用いてコンテンツ配信業者のホームページを閲覧しながら、利用したいコンテンツを選択する。ホームサーバは、ユーザの入力によりコンテンツの選択を受け付ける（ステップＳ６０１）。
ホームサーバは、選択を受け付けたコンテンツを識別するコンテンツＩＤを含むコンテンツ要求を生成し（ステップＳ６０２）、生成したコンテンツ要求を、ルータ６０００及びネットワーク６０００を介してコンテンツ配信サーバ１０００へ送信し、コンテンツ配信サーバ１０００は、コンテンツ要求を受信する（ステップＳ６０３）。
【０２１４】
コンテンツ配信サーバ１０は、受信したコンテンツ要求からコンテンツＩＤを読み出し、読み出したコンテンツＩＤにより識別される暗号化コンテンツを、コンテンツ格納領域から読み出す（ステップＳ６０４）。コンテンツ配信サーバ１０００は、読み出した暗号化コンテンツをホームサーバへ送信し、ホームサーバは暗号化コンテンツを受信する（ステップＳ６０５）。ホームサーバ５０は、受信した暗号化コンテンツを内部に格納する（ステップＳ６０６）。
【０２１５】
一方、ユーザは、ホームサーバに表示されているコンテンツ配信業者のホームページを閲覧しながら、ステップＳ６０１で選択したコンテンツに対応するライセンスチケットのチケット番号を、ボタンを押下するなどして携帯電話機に入力する。
携帯電話機は、チケット番号の入力を受け付け（ステップＳ６０７）、受け付けたチケット番号を含むチケット要求を生成する（ステップＳ６０８）。携帯電話機は、生成したチケット要求を、ゲートウェイサーバ４０００及びネットワーク６０００を介してライセンスチケット配信サーバ２０００へ送信し、ライセンスチケット配信サーバ２０００は、チケット要求を受信する（ステップＳ６０９）。
【０２１６】
ライセンスチケット配信サーバ２０００は、受信したチケット要求からチケット番号を読み出し、ライセンスチケット記憶部２００４から、読み出したチケット番号を含むライセンスチケットを読み出す。また、ライセンスチケット配信サーバ２０００は、機器ＩＤ記憶部２０１０から、自機の機器ＩＤ「ＩＤ＿２０００」を読み出す（ステップＳ６１０）。
【０２１７】
ライセンスチケット配信サーバ２０００は、読み出したライセンスチケットとＩＤ＿２０００とを、ネットワーク６０００及びゲートウェイサーバ４０００を介して携帯電話機へ送信し、携帯電話機は、ライセンスチケットとＩＤ＿２０００とを受信する（ステップＳ６１１）。
携帯電話機は、ライセンスチケット配信サーバ２０００からライセンスチケットを受信したこと、及び、ライセンスチケットの代行決済を依頼することを示すライセンスチケット受取票（図２４参照）を生成する（ステップＳ６１２）。携帯電話機は、生成したライセンスチケット受取票をゲートウェイサーバ４０００及びネットワーク６０００を介して、携帯電話料金管理サーバ３０００へ送信し、携帯電話料金管理サーバ３０００は、ライセンスチケット受取票を受信する（ステップＳ６１７）。
【０２１８】
一方、携帯電話機及びホームサーバは、ステップＳ６１１で携帯電話機がライセンスチケット配信サーバ２０００から受信したライセンスチケットの送受信処理を行う（ステップＳ６１３）。
ホームサーバは、ライセンスチケットを受信しない場合は（ステップＳ６１４でＮＯ）、元に戻り処理を続ける。ホームサーバは、ライセンスチケットを受信した場合（ステップＳ６１４でＹＥＳ）、ステップＳ６０６で格納した暗号化コンテンツを、ライセンスチケットに含まれるコンテンツ鍵を用いて復号する（ステップＳ６１５）。ホームサーバは、ライセンスチケットに含まれる著作権情報の範囲内で、復号したコンテンツを再生する（ステップＳ６１６）。
【０２１９】
また、ステップＳ６１７で携帯電話機からライセンスチケット受取票を受信した携帯電話料金管理サーバ３０００は、登録サーバ３１００との間で問合せ処理を行い（ステップＳ６１９）、代行決済が可能である場合には（ステップＳ６２０でＹＥＳ）、コンテンツ料金の代行決済を行う（ステップＳ６２３）。その後、携帯電話料金管理サーバ３０００は、通話料金、パケット通信料金などから成る携帯電話利用料金と、ステップＳ６２３で代行決済したコンテンツ料金とを足し合わせ、サービス料金を算出し、図６に示すような請求書２４０を生成する（ステップＳ６２４）。
【０２２０】
その後、通信事業者は、ステップＳ６２４で生成した請求書に基づき、ユーザにサービス料金を請求する。
ステップＳ６２０において、代行決済が不可能である場合には（ステップＳ６２０でＮＯ）、携帯電話料金管理サーバ３０００は、その旨を携帯電話機へ通知し（ステップＳ６２１）、携帯電話機は、代行決済不可能である旨を受信する（ステップＳ６２２）。
【０２２１】
代行決済不可能である旨を受信した携帯電話機は、コンテンツ料金に相当する電子マネー情報をＴＲＭから読み出し、携帯電話機は、電子マネー情報及びチケット番号を含む電子マネー送信情報を生成する（ステップＳ６２５）。携帯電話機は、短距離無線を用いて、ライセンスチケット配信サーバ２０００へ電子マネー送信情報を送信し、ライセンスチケット配信サーバ２０００は、電子マネー送信情報を受信する（ステップＳ６２６）。
【０２２２】
ライセンスチケット配信サーバ２０００は、ステップＳ６２６で受信した電子マネー送信情報の内容を確認し、電子マネー送信情報に含まれる電子マネー情報をＴＲＭに格納する（ステップＳ６２７）。その後、ライセンスチケット配信サーバ２０００は、電子マネー送信情報を受信したことを示す受信確認信号を携帯電話機へ送信し、携帯電話機は、受信確認信号を受信する（ステップＳ６２８）。
【０２２３】
３．ライセンスチケット送受信処理の動作
図３２は、ライセンスチケット送受信処理における携帯電話機とホームサーバとの動作を示すフローチャートである。なお、ここに示す動作は、図３０のステップＳ６１３の詳細である。
携帯電話機は、自機のＩＤであるＴＩＤ＿Ｎ（ここでＮ＝０１，０２又は０３である）を読み出す（ステップＳ７０１）。携帯電話機は、読み出したＴＩＤ＿Ｎを含むチケット送信要求を生成する（ステップＳ７０２）。携帯電話機は、生成したチケット送信要求を、短距離無線を用いてホームサーバへ送信し、ホームサーバは、チケット送信要求を受信する（ステップＳ７０３）。
【０２２４】
ホームサーバは、受信したチケット送信要求からＴＩＤ＿Ｎを抽出する（ステップＳ７０４）。また、ホームサーバは、有効機器情報領域に記憶されているすべての機器ＩＤを読み出し（ステップＳ７０５）、ステップＳ７０４で抽出したＴＩＤ＿Ｎと一致する機器ＩＤが存在するか否か判断する。ＴＩＤ＿Ｎと一致する機器ＩＤが存在しない場合（ステップＳ７０６でＮＯ）、その旨を携帯電話機へ通知し（ステップＳ７０８）、ホームサーバは図３０の処理に戻る。
【０２２５】
ＴＩＤ＿Ｎと一致する機器ＩＤが存在する場合（ステップＳ７０６でＹＥＳ）、ホームサーバは、自機の機器ＩＤであるＳＩＤ＿Ｍ（Ｍ＝０１，０２又は０３）を読み出す（ステップＳ７０９）。ホームサーバは、自機の機器ＩＤであるＳＩＤ＿Ｍを含むチケット受信要求を生成し（ステップＳ７１０）、生成したチケット受信要求を、短距離無線を用いて携帯電話機へ送信する（ステップＳ７１１）。
【０２２６】
携帯電話機は、ホームサーバからステップＳ７０８の通知を受けた場合（ステップＳ７２０でＹＥＳ）、図３０の処理に戻り、ホームサーバからステップＳ７０８の通知を受けない場合（ステップＳ７２０でＮＯ）、ステップＳ７１１で送信されたチケット受信要求を受信する。
携帯電話機は、受信したチケット受信要求からＳＩＤ＿Ｍを抽出する（ステップＳ７１２）。また、携帯電話機は、有効機器情報領域に記憶されているすべての機器ＩＤを読み出し（ステップＳ７１３）、ステップＳ７１２で抽出したＳＩＤ＿Ｍと一致する機器ＩＤが存在するか否か判断する。ＳＩＤ＿Ｍと一致する機器ＩＤが存在しない場合（ステップＳ７１４でＮＯ）、携帯電話機は、その旨をホームサーバへ通知し（ステップＳ７１５）、図３０の処理に戻る。
【０２２７】
ステップＳ７１４で抽出したＳＩＤ＿Ｍと一致する機器ＩＤが存在する場合（ステップＳ７１４でＹＥＳ）、ステップＳ６１１で受信したライセンスチケットを読み出す（ステップＳ７１６）。携帯電話機は読み出したライセンスチケットをホームサーバへ送信する（ステップＳ７１７）。
ホームサーバは、携帯電話機からステップＳ７１５の通知を受けた場合（ステップＳ７３０でＹＥＳ）、図３０の処理に戻り、携帯電話機からステップＳ７０８の通知を受けない場合（ステップＳ７３０でＮＯ）、ステップＳ７１７で送信されたチケット受信要求を受信する。
【０２２８】
４．問合せ処理の動作
図３３は、問合せ処理における携帯電話料金管理サーバ３０００と登録サーバ３１００との動作を示すフローチャートである。なお、ここに示す動作は、図３０のステップＳ６１９の詳細である。
携帯電話料金管理サーバ３０００は、ライセンスチケット受取票に含まれる事業者識別子「ＩＤ＿２０００」を含む問合要求を生成する（ステップＳ８０１）。携帯電話料金管理サーバ３０００は、生成した問合要求を、ＬＡＮを介して登録サーバ３１００へ送信し、登録サーバ３１００は問合要求を受信する（ステップＳ８０２）。
【０２２９】
登録サーバ３１００は、受信した問合要求から事業者識別子ＩＤ＿２０００を抽出する（ステップＳ８０３）。また、登録サーバ３１００は、記憶部から登録テーブル３１０５を読み出す（ステップＳ８０４）。登録サーバ３１００は、登録テーブル３１０５に、ＩＤ＿２０００と一致する事業者識別子が登録されているか否か判断する。
ＩＤ＿２０００と一致する事業者識別子が登録されている場合（ステップＳ８０５でＹＥＳ）、登録サーバ３１００は、代行決済可能で有ると判断し（ステップＳ８０６）、ＩＤ＿２０００と一致する事業者識別子が登録されていない場合（ステップＳ８０５でＮＯ）、登録サーバ３１００は、代行決済不可能であると判断する（ステップＳ８０７）。
【０２３０】
登録サーバ３１００は、ステップＳ８０６又はステップＳ８０７の判断結果を含む回答情報を生成する（ステップＳ８０８）。登録サーバ３１００は、生成した回答情報を携帯電話料金管理サーバ３０００へ送信し、携帯電話料金管理サーバ３０００は、回答情報を受信する（ステップＳ８０９）。
≪まとめ≫
以上をまとめると、本発明は、ユーザが携帯情報端末を用いて購入した商品の決済を、当該携帯情報端末にサービスを提供している通信事業者が代行する決済システムであって、携帯情報端末から購入要求を受けて、商品を提供する商品提供装置と、前記商品提供装置へ前記商品の購入要求を送信し、前記商品の代行決済を依頼することを示す決済依頼情報を、前記通信事業者が有する決済装置へ送信する携帯情報端末と、前記決済依頼情報を受信すると、前記商品の提供者との間で、前記商品の代行決済を行い、前記ユーザとの間で前記サービスの決済、及び、前記商品の決済を行う決済装置とから構成されることを特徴とする。
【０２３１】
この構成によると、携帯情報端末と決済装置との間で決済依頼情報を送受信するため、商品提供装置と決済装置との間で決済依頼情報を送受信する必要がない。そのため、ユーザは、購入したい商品を提供する業者に依らず、代行決済のサービスを受けることができる。
ここで、前記決済システムは、更に、コンテンツを再生する再生装置を備え、前記商品は、コンテンツの再生権利を示すライセンスチケットであって、前記携帯情報端末は、前記商品提供装置から前記ライセンスチケットを受信し、受信した前記ライセンスチケットを、前記再生装置へ出力し、前記再生装置は、前記携帯情報端末から前記ライセンスチケットを受信し、受信した前記ライセンスチケットに基づき前記コンテンツを再生するように構成してもよい。
【０２３２】
この構成によると、ユーザはコンテンツ配信業者に依らず、代行決済のサービスを受けることができる。
例えば、起業して間もないコンテンツ配信業者などは、社会的な信用が低い場合などが考えられる。ユーザがその様なコンテンツ配信業者からコンテンツ配信を受けようとする場合にも当該システムによれば、ライセンスチケットの代行決済が可能となる。コンテンツ又はコンテンツの再生権利を示すラインセンスチケットの決済が代行決済により簡単に行えるようになれば、コンテンツ配信のサービスが、よりいっそうユーザに受け入れられるようになる。
【０２３３】
また、本発明は、商品の購入に用いられる携帯情報端末であって、外部の商品提供装置へ、商品の購入要求を送信し、前記商品の代行決済を依頼することを示す決済依頼情報を、当該携帯情報端末へサービスを提供している通信事業者が有する決済装置へ送信し、前記決済装置との間で、前記サービスの決済、及び、前記商品の決済を行うことを特徴とする。
【０２３４】
この構成によると、携帯情報端末から、通信事業者が有する決済装置へ決済依頼情報を送信するため、ユーザは、購入したい商品を提供する業者に依らず、代行決済のサービスを受けることができる。
ここで、前記商品は、コンテンツの再生権利を示すライセンスチケットであって、前記携帯情報端末は、前記ライセンスチケットを受信し、前記ライセンスチケットの代行決済を依頼することを示す決済依頼情報を、前記決済装置へ送信し、受信した前記ライセンスチケットを、前記コンテンツを再生する外部の再生装置へ送信するように構成してもよい。
【０２３５】
この構成によると、ユーザは、コンテンツ配信業者に依らず、受信したライセンスチケットに係る代行決済のサービスを受けることができる。
ここで、前記ライセンスチケットは、コンテンツが暗号化されて生成された暗号化コンテンツを復号するための鍵情報を含み、前記携帯情報端末は、短距離無線を用いて、前記ライセンスチケットを前記再生装置へ送信するように構成してもよい。
【０２３６】
この構成によると、ユーザは、商品として暗号化コンテンツを復号するための鍵情報を購入し、通信事業者の代行決済サービスを受けることができる。
ここで、前記ライセンスチケットは、コンテンツの再生可能回数を示す著作権情報を含むように構成してもよい。
この構成によると、ユーザは、商品として暗号化コンテンツを復号するための鍵情報と、コンテンツの再生可能回数を示す著作権情報とを購入し、通信事業者の代行決済サービスを受けることができる。
【０２３７】
ここで、前記携帯情報端末は、前記ライセンスチケットを受信すると、前記ライセンスチケットを識別するためのチケット識別情報、及び、前記ライセンスチケットの代金を示す価格情報を含む前記決済依頼情報を、前記決済装置へ送信する
ように構成してもよい。
この構成によると、携帯情報端末が決済装置へ送信する決済依頼情報は、チケット識別情報と価格情報とを含むことにより、決済装置はライセンスチケットの代行決済を確実に行うことができる。
【０２３８】
また、本発明は、携帯情報端末であって、外部から解読及び改竄が不可能な耐タンパー性を有する記憶領域を備え、コンテンツの再生権利を示すライセンスチケットを取得し、前記記憶領域に記憶されている電子マネーを用いて、前記ライセンスチケットの決済を行い、取得した前記ライセンスチケットを出力することを特徴とする。
この構成によると、コンテンツの再生権利を示すライセンスチケットの決済は、クレジットカード会社などを介さず、ユーザの携帯情報端末を用いて行うため、クレジットカード会社から個人情報が流出すること等を懸念しているユーザにも受け入れられる可能性がある。
【０２３９】
ここで、前記携帯情報端末は、更に、短距離無線により通信を行う無線部を備え、前記無線部を介して、前記ライセンスチケットを送信する装置へ電子マネー情報を送信することにより、前記決済を行い、前記無線部を介して、前記コンテンツを再生する外部の再生装置へ、前記ライセンスチケットを出力するように構成してもよい。
この構成によると、携帯情報端末は、短距離無線を用いて電子マネー情報を送信するため、電子マネー情報を第三者に盗まれる危険性が低くなる。
【０２４０】
ここで、前記ライセンスチケットは、前記暗号化コンテンツを復号するための鍵情報を含み、前記携帯情報端末は、更に、前記コンテンツが前記鍵情報を用いて暗号化された暗号化コンテンツを記憶しており、取得した前記ライセンスチケットを用いて、前記暗号化コンテンツを復号し、復号した前記コンテンツを再生するように構成してもよい。
この構成によると、ユーザは携帯情報端末を用いてコンテンツを利用することができる。
【０２４１】
ここで、前記暗号化コンテンツは、可搬型のメモリカードに記録されており、前記携帯情報端末は、前記メモリカードから、前記暗号化コンテンツを読み出し、前記ライセンスチケットに含まれる前記鍵情報を復号鍵として用い、前記コンテンツを復号するように構成してもよい。
この構成によると、ユーザは可搬型のメモリカードに格納されているコンテンツを、携帯情報端末を用いて利用することができる。
【０２４２】
また、本発明は、携帯情報端末にサービスを提供する通信事業者が、前記サービスの決済を行う決済装置であって、前記携帯情報端末から、前記通信業者が提供するサービス以外の商品に係る決済の代行を依頼することを示す決済依頼情報を受信し、受信した前記決済依頼情報に基づき、前記商品の提供者との間で、前記商品の代行決済を行い、前記携帯情報端末のユーザとの間で、前記サービスの決済、及び、前記商品の決済を行うことを特徴とする。
【０２４３】
この構成によると、通信事業者は、自身のサービスに加入している携帯情報端末から送信される決済依頼情報を受信して代行決済を行うので、携帯情報端末のユーザに商品を提供する業者が信頼できる業者であるか否か十分な調査を行わなくても、ユーザに代行決済のサービスを提供することができる。
また、本発明は、決済システムであって、携帯情報端末を用いてサーバ装置から購入したコンテンツの利用権に係る決済の代行を依頼することを示す決済依頼情報を、前記携帯情報端末から受信する受信手段と、前記受信手段が前記決済依頼情報を受信すると、前記コンテンツの提供者を識別する識別情報に基づき、前記コンテンツの利用権に係る代行決済を許可するか否か判断する判断手段と、前記判断手段が代行決済を許可すると判断した場合に、前記サーバ装置との間で前記コンテンツの利用権に係る代行決済を行う代行決済手段と、前記携帯情報端末のユーザとの間で前記コンテンツの利用権に係る決済を行う決済手段とを備えることを特徴とする。
【０２４４】
この構成によると、決済システムは、決済依頼情報を受信した場合であっても、代行決済を行うか否かを判断した上で、許可すると判断する場合にのみ代行決済を行うので、受信した全ての決済依頼情報に対し代行決済を行う場合と比較すると、決済に伴うリスクが軽減される。
また、決済システムに代行決済を依頼し、代行決済が許可された場合には、クレジットカード会社などを介さず決済を行うため、クレジットカード会社から個人情報が流出すること等を懸念しているユーザにも受け入れられる可能性がある。
【０２４５】
ここで、前記判断手段は、信頼できるコンテンツ提供者を識別する優良提供者識別情報を記憶している記憶部と、前記決済依頼情報から、前記識別情報を取得する取得部と、前記識別情報が、前記優良提供者識別情報と一致するか否か判定し、前記判定が肯定的な場合に代行決済を許可すると決定し、前記判定が否定的な場合に代行決済を許可しないと決定する判定部とを備えるように構成してもよい。
【０２４６】
この構成によると、決済システムは、信頼できるコンテンツ提供者とのみ、代行決済を行うため、安全性の高いシステムを構築できる。
ここで、前記識別情報は、前記サーバ装置を識別する識別子であり、前記優良提供者識別情報は、信頼できるコンテンツ提供者が有するサーバ装置の識別子であるように構成してもよい。
【０２４７】
この構成によると、決済システムは、コンテンツを提供するサーバ装置の識別子に基づき代行決済を行うか否か判断するので、信頼できるコンテンツ提供者とのみ、代行決済を行うことができ、安全性の高いシステムを構築できる。
ここで、前記識別情報は、前記サーバ装置のネットワークアドレスであり、前記優良提供者識別情報は、信頼できるコンテンツ提供者が有するサーバ装置のネットワークアドレスであるように構成してもよい。
【０２４８】
この構成によると、決済システムは、コンテンツを提供するサーバ装置のネットワークアドレスに基づき代行決済を行うか否か判断するので、信頼できるコンテンツ提供者とのみ、代行決済を行うことができ、安全性の高いシステムを構築できる。
ここで、前記決済システムは、前記判定部により、代行決済を許可しないと決定された場合に、その旨を前記携帯情報端末へ通知する通知手段を備えるように構成してもよい。
【０２４９】
この構成によると、決済システムは、代行決済が不可能な場合に携帯情報端末へその旨を通知することにより、ユーザは、代行決済以外の別の手段を用いて決済すべきことを知ることができる。
ここで、前記決済システムは、前記携帯情報端末にサービスを提供する通信事業者が有する決済装置と登録サーバとから構成され、前記決済装置は、前記受信手段と、受信した前記決済依頼情報から、前記識別情報を抽出し、抽出した前記識別情報を前記登録サーバへ送信し、前記コンテンツの代行決済を許可するか否かを問い合わせる問合手段と、前記決済手段とを備え、前記登録サーバは、前記判断手段を備えるように構成してもよい。
【０２５０】
この構成によると、決済装置は、決済依頼情報を受信した場合であっても、代行決済を行うか否かを登録サーバに問い合わせた上で、代行決済を許可すると判断された場合にのみ代行決済を行うので、受信した全ての決済依頼情報に対し代行決済を行う場合と比較すると、決済に伴うリスクが軽減される。
ここで、前記判断手段は、信頼できるコンテンツ提供者を識別する優良提供者識別情報を記憶している記憶部と、前記決済装置から、前記識別情報を受信する受信部と、前記識別情報が、前記優良提供者識別情報と一致するか否か判定し、前記判定が肯定的な場合に代行決済を許可すると決定し、前記判定が否定的な場合に代行決済を許可しないと決定する判定部と、前記判定部により決定された結果を、前記携帯情報端末へ送信する送信部とを備えるように構成してもよい。
【０２５１】
ここで、前記識別情報は、前記サーバ装置の識別子であり、前記優良提供者識別情報は、信頼できるコンテンツ提供者が有するサーバ装置の識別子であるように構成してもよい。
ここで、前記識別情報は、前記サーバ装置のネットワークアドレスであり、前記優良提供者識別情報は、信頼できるコンテンツ提供者が有するサーバ装置のネットワークアドレスであるように構成してもよい。
【０２５２】
ここで、前記決済装置は、前記判定部により、代行決済を許可しないと判定された場合、その旨を前記携帯情報端末へ通知する通知手段を備えるように構成してもよい。
また、本発明は、ユーザが携帯情報端末を用いて購入したコンテンツの利用権に係る決済を行うライセンス決済システムであって、携帯情報端末から購入要求を受けて、コンテンツを提供するサーバ装置と、前記サーバ装置へ前記コンテンツの購入要求を送信し、前記コンテンツの代行決済を依頼することを示す決済依頼情報を、当該携帯情報端末にサービスを提供している通信事業者が有する決済装置へ送信する携帯情報端末と、前記決済依頼情報を受信し、前記コンテンツの代行決済を許可するか否か判断し、代行決済を許可すると判断する場合に、前記サーバ装置との間で前記コンテンツの代行決済を行い、前記ユーザとの間で前記コンテンツの決済を行う決済装置とを備えることを特徴とする。
【０２５３】
この構成によると、決済装置は、決済依頼情報を受信した場合であっても、代行決済を行うか否かを判断した上で、許可すると判断する場合にのみ代行決済を行うので、受信した全ての決済依頼情報に対し代行決済を行う場合と比較すると、決済に伴うリスクが軽減される。
ここで、前記決済装置は、代行決済を許可しないと判断する場合に、その旨を前記携帯情報端末へ通知し、前記携帯情報端末は、外部から解読及び改竄が不可能な耐タンパー性を有する記憶領域に電子マネーを記憶しており、前記決済装置から、前記情報を受信する場合に、前記電子マネーを用いて前記コンテンツの決済を行うように構成してもよい。
【０２５４】
この構成によると、決済装置による代行決済が許可されなかった場合であっても携帯情報端末の電子マネー情報により決済が行われるので、クレジットカード会社などを介さない。そのため、クレジットカード会社から個人情報が流出すること等を懸念しているユーザにも受け入れられる可能性がある。
（その他の変形例）
【０２５５】
本発明を上記の第１実施例から第４実施例に基づき説明してきたが、本発明は上記実施例に限定されないのは勿論であり、以下の様な場合も本発明に含まれる。
（１）上記実施例は、ユーザは携帯電話機を用いてライセンスチケットを購入する構成を有するが、ユーザが用いる装置は携帯電話機に限定されず、例えばＰＤＡ（PersonalDigital Assistance）やノート型パソコンなどの携帯情報端末や、デスクトップ型パソコンなどの情報端末であってもよい。
【０２５６】
（２）上記実施例では、ライセンスチケットは、コンテンツを復号するための鍵情報と再生可能回数を示す著作権情報とを含む構成を有しているが、本発明において、ライセンスチケットは少なくとも鍵情報を包含する情報であればよい。
例えば、ライセンスチケットは鍵情報以外にも、コピー回数やコピー制限などを示す著作権情報を含んでも良い。
【０２５７】
（３）上記実施例では、ユーザに提供される商品は、コンテンツに係るライセンスチケットであったが、本発明において、ユーザに提供される商品はライセンスチケットに限定されないのは勿論であり、如何なる商品が提供される場合も本発明に含まれる。なお、商品は「サービス」の概念を含むものとする。
更に、上記実施例では、ライセンスチケット配信サーバからネットワーク経由で送信されるライセンスチケットを、携帯電話機で受信することにより、ユーザは商品の提供を受けるという構成を有しているが、商品の提供は、上記のようなネットワーク経由に限定されないのは勿論である。
【０２５８】
一例を言えば、ユーザに商品を提供する装置は、ライセンスチケット配信サーバでなく自動販売機であり、ユーザに提供される商品は、ライセンスチケットでなく缶コーヒーである場合も本発明に含まれる。
（４）上記の例について、以下で具体的に述べる。
本発明の変形例として、決済システム５について図３４を用いて説明する。  
【０２５９】
図３４に示す様に、決済システム５は、自動販売機２０ｃ、携帯電話料金管理サーバ３０ｃ及び携帯電話機４０ｃから構成される。携帯電話料金管理サーバ３０ｃは、ネットワーク６０に接続しており、携帯電話機４０ｃは、図示していないゲートウェイサーバを介してネットワーク６０に接続可能である。また、自動販売機２０ｃと携帯電話機４０ｃとは、赤外線などの短距離無線を用いて互いに通信可能である。
【０２６０】
ユーザは、携帯電話機４０ｃの操作面のボタンを操作することにより、所望の缶コーヒーの購入要求を自動販売機２０ｃに向けて送信する。自動販売機２０ｃは、購入要求を受信すると、購入要求に応じた缶コーヒーをユーザに提供する。このとき自動販売機２０ｃは、缶コーヒーがユーザに提供されたことを示す商品提供済情報を、携帯電話機４０ｃへ送信する。商品提供済情報は、自動販売機２０ｃの事業者を特定するための情報と、ユーザに提供した缶コーヒーの価格とを含むものとする。
【０２６１】
携帯電話機４０ｃは、商品提供済情報を受信すると、受信した商品提供済情報に自身の電話番号、又は、メールアドレスなどの識別情報を付加して、決済依頼情報を生成する。携帯電話機４０ｃは、生成した決済依頼情報を、ネットワーク６０を介して携帯電話料金管理サーバ３０ｃへ送信する。
携帯電話料金管理サーバ３０ｃは、携帯電話機４０ｃから決済依頼情報を受信すると、自動販売機２０ｃの事業者との間で、ユーザに提供された缶コーヒーの代行決済を行う。また、携帯電話料金管理サーバ３０ｃは、通話料金や、パケット通信料金など共に、代行決済した缶コーヒーの料金をユーザに請求する。
【０２６２】
（５）本発明において、ユーザにコンテンツ及びライセンスチケットを提供する事業者は複数存在してもよい。この場合、ライセンスチケットのチケット番号に、事業者を特定する事業者コードを含むように構成してもよい。
この構成によると、携帯電話機から携帯電話料金管理サーバへ送信されるライセンスチケット受取票にも事業者を特定する事業者コードが含まれるため、携帯電話料金管理サーバは、代行決済を行う事業者を特定することができる。
【０２６３】
（６）上記実施例において、ホームサーバは、コンテンツ配信サーバからネットワーク６０経由で暗号化コンテンツを取得するのではなく、暗号化コンテンツを格納している可搬型の記録媒体から暗号化コンテンツを取得するように構成してもよい。
この構成によると、ホームサーバが、ネットワーク６０に接続できない装置であっても暗号化コンテンツの復号に必要なコンテンツ鍵を携帯電話機から取得し、取得したコンテンツ鍵を用いてコンテンツを復号し、再生することができる。また、ホームサーバが、ネットワーク６０に接続できない状況にあっても、コンテンツ鍵を携帯電話機から取得して、コンテンツを復号し、再生することができる。
【０２６４】
（７）上記第１実施例におけるコンテンツ料金の決済は、通信事業者が、ユーザに対し、一ヶ月に一度、携帯電話利用料金と合わせてユーザに請求するように構成されているが、コンテンツ利用料金は、携帯電話利用料金とは別にユーザに請求するように構成されてもよい。
（８）上記実施例において、（ａ）ホームサーバがコンテンツ配信サーバから暗号化コンテンツを取得する処理と、（ｂ）携帯電話機がライセンスチケット配信サーバからライセンスチケットを取得する処理とは、処理の順序については限定されない。
【０２６５】
（９）上記第２及び第３実施例において、携帯電話機とライセンスチケット配信サーバとは、電子マネー情報の送受信については、短距離無線を介して行い、チケット要求の送受信、ライセンスチケットの送受信については、ネットワーク６０を介して行うように構成される。
この構成によると、ユーザは、携帯電話機に蓄積されている電子マネー情報で決済を済ませておけば、ライセンスチケット配信サーバから遠く離れた場所であっても、ネットワークを介してライセンスチケットを受信することが可能となる。
【０２６６】
しかしながら、本発明は、ライセンスチケットを必ずしもネットワークを介して送受信する必要はなく、ライセンスチケットを短距離無線を介して送受信してもよい。
（１０）また、上記第２及び第３実施例におけるライセンスチケット配信サーバは、ライセンスチケットを管理するセンタとしての機能、及び、コンビニエンスストアや街頭などに設置され、ユーザ端末との間で電子マネーを通信する情報端末（所謂、キオスク端末）としての機能を兼ね備えた構成を有しているが、ライセンスチケット配信サーバが、センタとキオスク端末との独立した２個の装置から構成される場合も本発明に含まれる。
【０２６７】
ライセンスチケット配信サーバが、センタとキオスク端末とから構成されるシステムについて以下に述べる。
センタは、図４に示す様なライセンスチケットテーブルを管理している。
キオスク端末は、コンビニエンスストアなどに設置されており、ネットワークを介してセンタと接続している。即ち、キオスク端末はセンタに対するオンライン端末（クライアント端末）として位置付けられ、ユーザの操作により要求を受け付けたり、受け付けた要求を表示したりするタッチパネル、携帯電話機と短距離無線通信を行う無線部、受け付けた要求をセンタへ送信するネットワーク通信部などを備える。
【０２６８】
キオスク端末は、ユーザがタッチパネルを操作することにより入力されるライセンスチケット要求（ライセンス注文）を受け付け、受け付けたライセンス注文を、ネットワークを介してセンタへ送信する。また、キオスク端末は、ユーザの携帯電話機から、ライセンス注文に応じた金額の電子マネー情報を短距離無線で受信する。
センタは、ライセンス注文を受信すると、内部に管理しているライセンスチケットを読み出し、読み出したライセンスチケットを、ネットワーク経由でユーザの携帯電話機に送信する。携帯電話機は、センタから送信されるライセンスチケットを受信する。
【０２６９】
なお、携帯電話機がライセンスチケットを受信する方法は、センタは、ライセンス注文を受信すると、内部に管理しているライセンスチケットを読み出し、読み出したライセンスチケットを、ネットワーク経由でキオスク端末へ送信してもよい。キオスク端末は、センタからライセンスチケットを受信すると、受信したライセンスチケットを、短距離無線を用いて携帯電話機へ送信し、携帯電話機はキオスク端末からライセンスチケットを受信してもよい。
【０２７０】
また、それぞれコンビニエンスストアや街頭などに設置されている複数個のキオスク端末が、１個のセンタとネットワーク通信を行う構成も勿論本発明に含まれる。
（１１）また、上記第２及び第３実施例における携帯電話機内のＴＲＭは、メモリカードとＴＲＭとが一体となった構成であってもよい。この場合、電子マネー情報をチャージする処理は、必ずしも短距離無線を用いて行う必要はない。例えば、メモリカードは携帯電話機に着脱可能であって、携帯電話機から抜き取ったメモリカードを、電子マネー入金装置に差し込み、ＴＲＭに電子マネー情報をチャージするように構成してもよい。
【０２７１】
（１２）また、上記第２及び第３実施例は、ＴＲＭに電子マネー情報をチャージする処理は携帯電話機と電子マネー入金装置とによるオフラインチャージで行う構成を有している。しかし、電子マネー情報をＴＲＭにチャージする処理は、上記の様なオフラインチャージに限定されず、オンラインチャージであってもよい。オンラインチャージとは、以下に示す様なシステムをいう。
【０２７２】
携帯電話機で特定のアプリケーションが起動し、表示部に電子マネーチャージ画面が表示される。ユーザは、画面を見ながら操作部を操作し、自身のパスワードや入金金額などを入力する。入力された情報は、携帯電話機のネットワーク接続機能を用いて、電子マネー情報のチャージセンタ等に送信される。チャージセンタは、携帯電話機から送信された情報に基づき、チャージ処理を行い、チャージ完了通知を携帯電話機に送信する。携帯電話機は、チャージ完了通知を受信すると、ＴＲＭに電子マネー情報をチャージする。
【０２７３】
本発明では、携帯電話料金管理サーバを電子マネー情報のチャージセンタとしてもよい。携帯電話機は、受信したライセンスチケットに係るコンテンツ料金を、オンラインチャージによりＴＲＭにチャージした電子マネー情報を用いて支払う。携帯電話料金管理サーバは、携帯電話機のユーザに対して、通話料金などの携帯電話利用料金と、オンラインチャージによりチャージした金額とを請求するように構成してもよい。
【０２７４】
（１３）また、上記第２及び第３実施例において、（ａ）携帯電話機が、電子マネー情報でライセンスチケットに係るコンテンツ料金を支払う処理と、（ｂ）携帯電話機が、ライセンスチケット配信サーバから、ライセンスチケットを受信する処理とは、処理の順序については限定されない。
（１４）上記実施例では、コンテンツ鍵とコンテンツとは、１対１に対応する構成を有しているが、本発明はこれに限定されず、コンテンツ鍵とコンテンツとが、１対多の構成であってもよい。この場合、ライセンスチケットにはコンテンツ鍵を暗号化するための鍵情報が含まれるように構成してもよい。
【０２７５】
（１５）ライセンスチケット配信サーバから送信されるライセンスチケットに含まれるコンテンツ鍵は、暗号化コンテンツ鍵であってもよい。ホームサーバは、携帯電話機を介してライセンスチケットを受信し、受信したライセンスチケットから暗号化コンテンツ鍵を読み出して、コンテンツ鍵を復号し、復号したコンテンツ鍵を用いて、コンテンツを復号するように構成されてもよい。なお、ここで用いられる暗号アルゴリズムは限定されない。
【０２７６】
（１６）本発明において、コンテンツを暗号化する暗号アルゴリズムは、秘密鍵暗号方式に限定されず、公開鍵暗号方式であってもよい。
（１７）本発明は、携帯電話機のＴＲＭに、デビットカード機能を含めて構成してもよい。この場合、ライセンスチケット受取票が、通信事業者を介さず直接銀行の端末へ送信され、銀行の端末により決済が行われる。
【０２７７】
（１８）上記第４実施例では、携帯電話料金管理サーバ３０００と登録サーバ３１００とはそれぞれ独立した装置により実現される構成を有するが、本発明においては、携帯電話料金管理サーバ３０００及び登録サーバ３１０は、一台の装置により実現される構成でもよい。また、上記第４実施例では、携帯電話料金管理サーバ３０００と登録サーバと３１００とは、ＬＡＮを介して接続された構成を有するが、本発明においてこの構成は必須ではなく、携帯電話料金管理サーバ３０００と登録サーバ３１００とは、ネットワーク６０００を介して通信する構成も本発明に含まれる。
【０２７８】
（１９）携帯電話料金管理サーバ３０００は、代行決済を許可するか否かの判断に、商品提供者側の装置識別子や製造番号を用いる構成を有するが、本発明は、装置識別子や製造番号を用いる構成に限定されず、装置のネットワークアドレスを用いる構成であってもよい。
（２０）上記第４実施例の変形例として、以下に示す処理を行う場合も本発明に含まれる。
【０２７９】
ホームサーバは、携帯電話機からライセンスチケットを受信する際、携帯電話機の識別情報とライセンスチケットとを対応付けて受信する。ホームサーバは、受信した識別情報とライセンスチケットとを対応付けて記憶する。
次に、ライセンスチケットを利用する際にホームサーバは、携帯電話機と通信を求め、携帯電話機から識別情報を受信する。即ち、ライセンスチケットを利用しコンテンツを視聴しようとしているユーザが所持している携帯電話機から、当該携帯電話機の識別情報を受信するのである。
【０２８０】
ホームサーバは、受信した識別情報が、ライセンスチケットと対応付けて記憶している識別情報と一致するか否か判断し、識別情報が一致する場合にライセンスチケットの利用を許可し、一致しない場合にライセンスチケットの利用を禁止するよう制御する。
この構成により、ライセンスチケットの購入者以外の不正なユーザがライセンスチケットを利用してコンテンツを視聴するのを防止する効果がある。
【０２８１】
（２１）上記第４実施例において、携帯電話機は不正なホームサーバへライセンスチケットを送信するのを防止するために、予め自機に登録されているホームサーバへのみ、ライセンスチケットの送信を許可する構成を有するが、本発明において、不正なホームサーバへのライセンスチケット送信を防止する方法は、上記の方法に限定されず、例えば以下に示す様な構成を用いてもよい。
【０２８２】
携帯電話機は、予め自機に登録されているホームサーバの識別情報を含むチケット要求を生成し、生成したチケット要求をライセンスチケット配信サーバへ送信する。
ライセンスチケット配信サーバは、チケット要求に対応するラインチケットに、前記ホームサーバの識別情報を含めて携帯電話機へ送信する。
各ホームサーバは、携帯電話機からチケット送信要求のあったライセンスチケットについて、自機の識別情報が含まれていない場合には、ライセンスチケットの受信を拒否する。
【０２８３】
この構成により、携帯電話機が他の携帯電話機を経由することで、本来許可されていないホームサーバへライセンスチケットを送信するなどの不正行為を防止することができる。
（２２）上記第４実施例において、代行決済不可の通知については、携帯電話機が携帯電話料金管理サーバ３０００へライセンスチケット受取票を送信した後、代行決済が不可能であると判断された場合に、携帯電話料金管理サーバ３０００から携帯電話機へ通知される構成を有するが、代行決済不可の通知手順としては、上記に限定されない。
【０２８４】
例えば、携帯電話機は、ライセンスチケット受取票を送信する前に、携帯電話料金管理サーバ３０００から、代行決済不可能な事業者の事業者識別子を受け取るように構成してもよい。この場合、携帯電話機は、ライセンスチケット配信サーバ２０００から受信したライセンスチケットについて、当該ライセンスチケットと共に受信した事業者識別子が、代行決済不可能な事業者の事業者識別子に一致する場合には、電子マネー情報を用いて決済を行い、一致しない場合には、携帯電話料金管理サーバ３０００へライセンスチケット受取票を送信するように構成してもよい。
【０２８５】
（２３）上記実施例において、「電子マネー情報」は、金銭的な価値に限定される概念ではない。電子マネー情報は、例えば電子的な引換券、割引券、特典ポイントなど商品購入の際に商品の対価として用いることができるような情報であればよい。
（２４）上記実施例において、コンテンツを利用する装置は、コンテンツを再生する再生装置に限定されない。例えば、コンテンツ配信サーバから受信したコンテンツを他の装置又は他の記録媒体へ記録する記録装置であってもよいし、ゲーム機などであってもよい。
【０２８６】
（２５）上記第４実施例において、各携帯電話機及び各ホームサーバの記憶部内の有効機器情報領域に機器ＩＤを登録するときには、パスワード入力など操作者の正当性を認証する構成を備える場合も本発明に含まれる。
また、第４実施例においては、有効機器情報領域に登録されている機器ＩＤを削除したり、新たな機器ＩＤを登録したりする構成も本発明に含まれる。更に、登録されている機器ＩＤの削除するとき及び新たに機器ＩＤを追加登録するときにも、パスワード入力など操作者の正当性を認証する構成を備える場合も本発明に含まれる。
【０２８７】
（２６）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ‐ＲＯＭ、ＭＯ、ＤＶＤ、ＤＶＤ‐ＲＯＭ、ＤＶＤ‐ＲＡＭ、ＢＤ（Ｂｌｕ‐ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０２８８】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０２８９】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（２７）上記実施例及び上記変形例をそれぞれ組み合わせる構成も本発明に含まれる。
【産業上の利用可能性】
【０２９０】
本発明は、ユーザにコンテンツを配信する産業において、ユーザとコンテンツ配信業者間におけるコンテンツに係る決済を、簡単に行う仕組みとして利用することが可能である。
【図面の簡単な説明】
【０２９１】
【図１】決済システム１の構成を示すシステム構成図である。
【図２】ライセンスチケット配信サーバ２０の構成を示すブロック図である。
【図３】（ａ）未決済情報２１０のデータ構成を示す図である。（ｂ）決済情報２２０のデータ構成を示す図である。
【図４】ライセンスチケットテーブル２３０のデータ構成を示す図である。
【図５】携帯電話料金管理サーバ３０の構成を示すブロック図である。
【図６】ユーザに送付される請求書２４０の一例を示す図である。
【図７】携帯電話機４０の構成を示すブロック図である。
【図８】ライセンスチケット受取票２５０のデータ構成を示す図である。
【図９】決済システム１の動作を示すフローチャートである。
【図１０】決済システム２の構成を示すシステム構成図である。
【図１１】ライセンスチケット配信サーバ２０ａの構成を示すブロック図である。
【図１２】携帯電話機４０ａの構成を示すブロック図である。
【図１３】決済システム２の全体の動作を示すフローチャートである。
【図１４】決済システム２の入金処理の動作を示すフローチャートである。
【図１５】決済システム２のコンテンツ利用の動作を示すフローチャートである。
【図１６】決済システム３の構成を示すシステム構成図である。
【図１７】携帯電話機４０ｂの構成を示すブロック図である。
【図１８】決済システム３の動作を示すフローチャートである。
【図１９】決済システム４の構成を示すシステム構成図である。
【図２０】ライセンスチケット配信サーバ２０００の構成を機能的に示す機能ブロック図である。
【図２１】携帯電話料金管理サーバ３０００の構成を機能的に示す機能ブロック図である。
【図２２】登録サーバ３１００の構成を機能的に示す機能ブロック図である。
【図２３】携帯電話機１（４１００）の構成を機能的に示す機能ブロック図である。
【図２４】ライセンスチケット受取票４１３０のデータ構成を示す図である。
【図２５】携帯電話機２（４２００）の構成を機能的に示す機能ブロック図である。
【図２６】携帯電話機３（４３００）の構成を機能的に示す機能ブロック図である。
【図２７】ホームサーバ１（５１００）の構成を機能的に示す機能ブロック図である。
【図２８】ホームサーバ２（５２００）の構成を機能的に示す機能ブロック図である。
【図２９】ホームサーバ３（５３００）の構成を機能的に示す機能ブロック図である。
【図３０】決済システム４のコンテンツ利用の動作を示すフローチャートであり、図３１へ続く。
【図３１】決済システム４のコンテンツ利用の動作を示すフローチャートであり、図３０から続く。
【図３２】決済システム４のライセンスチケット送受信処理の動作を示すフローチャートである。
【図３３】決済システム４の問合せ処理の動作を示すフローチャートである。
【図３４】実施例の変形例である決済システム５の構成を示すシステム構成図である。
【符号の説明】
【０２９２】
１    決済システム
２    決済システム
３    決済システム
４    決済システム
５    決済システム
１０    コンテンツ配信サーバ
１０ａ  コンテンツ配信サーバ
１０ｂ  コンテンツ配信サーバ
２０    ライセンスチケット配信サーバ
２０ａ  ライセンスチケット配信サーバ
２０ｂ  ライセンスチケット配信サーバ
２０ｃ  自動販売機
３０    携帯電話料金管理サーバ
３０ａ  電子マネー入金装置
３０ｂ  電子マネー入金装置
３０ｃ  携帯電話料金管理サーバ
４０    携帯電話機
４０ａ  携帯電話機
４０ｂ  携帯電話機
４０ｃ  携帯電話機
５０    ホームサーバ
５０ａ  ホームサーバ
５０ｂ  ホームサーバ
６０    ネットワーク
７０ｂ  メモリカード
１０００    コンテンツ配信サーバ
２０００    ライセンスチケット配信サーバ
３０００    携帯電話料金管理サーバ
３１００    登録サーバ
４０００    ゲートウェイサーバ
４１００    携帯電話機１
４２００    携帯電話機２
４３００    携帯電話機３
５０００    ルータ
５１００    ホームサーバ１
５２００    ホームサーバ２
５３００    ホームサーバ３
６０００    ネットワーク
７０００    電子マネー入金装置
【図１】
0004625001.tif 000002
【図２】
0004625001.tif 000003
【図３】
0004625001.tif 000004
【図４】
0004625001.tif 000005
【図５】
0004625001.tif 000006
【図６】
0004625001.tif 000007
【図７】
0004625001.tif 000008
【図８】
0004625001.tif 000009
【図９】
0004625001.tif 000010
【図１０】
0004625001.tif 000011
【図１１】
0004625001.tif 000012
【図１２】
0004625001.tif 000013
【図１３】
0004625001.tif 000014
【図１４】
0004625001.tif 000015
【図１５】
0004625001.tif 000016
【図１６】
0004625001.tif 000017
【図１７】
0004625001.tif 000018
【図１８】
0004625001.tif 000019
【図１９】
0004625001.tif 000020
【図２０】
0004625001.tif 000021
【図２１】
0004625001.tif 000022
【図２２】
0004625001.tif 000023
【図２３】
0004625001.tif 000024
【図２４】
0004625001.tif 000025
【図２５】
0004625001.tif 000026
【図２６】
0004625001.tif 000027
【図２７】
0004625001.tif 000028
【図２８】
0004625001.tif 000029
【図２９】
0004625001.tif 000030
【図３０】
0004625001.tif 000031
【図３１】
0004625001.tif 000032
【図３２】
0004625001.tif 000033
【図３３】
0004625001.tif 000034
【図３４】
0004625001.tif 000035